(57)【要約】  本開示は、送信装置、受信装置、送信方法および受信方法に関する。送信装置は、動作時に、データおよび／または参照信号を、通信システムのリソースユニットにマッピングする回路を備える。リソースユニットは、第１のヌメロロジのサブキャリアおよび第２のヌメロロジのサブキャリアを含み、サブキャリアの各々は、同じヌメロロジの他のサブキャリアに直交し、第１のヌメロロジは、少なくとも、より大きいサブキャリア間隔だけ、第２のヌメロロジと異なり、第１のヌメロロジのサブキャリアおよび第２のヌメロロジのサブキャリアは、サブキャリアごとに周波数多重化される。送信装置は、動作時、第１のヌメロロジのサブキャリアおよび／または第２のヌメロロジのサブキャリアを含む、リソースユニット内のマッピングされているデータおよび／または参照信号を送信し、また、第１のヌメロロジのサブキャリアおよび／または第２のヌメロロジのサブキャリアからのサブキャリアへの参照を含む、リソースユニットのマッピングの指示をも送信する送信機をさらに備え、第１のヌメロロジについては、リソースユニットのすべてのサブキャリアを参照することができ、第２のヌメロロジについては、そのヌメロロジ間直交サブキャリアのみを参照することができ、ヌメロロジ間直交サブキャリアの各々は、第１のヌメロロジのサブキャリアと中央で位置整合される。【特許請求の範囲】
【請求項１】
送信装置であって、
動作時に、データおよび／または参照信号を、通信システムのリソースユニットにマッピングする回路であって、
前記リソースユニットは、第１のヌメロロジのサブキャリアおよび第２のヌメロロジのサブキャリアを含み、前記サブキャリアの各々は、同じ前記ヌメロロジの他の前記サブキャリアに直交し、前記第１のヌメロロジは、少なくとも、より大きいサブキャリア間隔だけ、前記第２のヌメロロジと異なり、前記第１のヌメロロジの前記サブキャリアおよび前記第２のヌメロロジの前記サブキャリアは、サブキャリアごとに周波数多重化される、回路と、
動作時、前記第１のヌメロロジのサブキャリアおよび／または前記第２のヌメロロジのサブキャリアを含む、前記リソースユニット内のマッピングされている前記データおよび／または前記参照信号を送信する送信機と
を備え、
前記送信機は、動作時、前記第１のヌメロロジの前記サブキャリアおよび／または前記第２のヌメロロジの前記サブキャリアからのサブキャリアに対する参照を含む、前記リソースユニットの前記マッピングの指示をも送信し、
前記第１のヌメロロジについては、前記リソースユニットのすべてのサブキャリアを参照することができ、
前記第２のヌメロロジについては、前記第２のヌメロロジのヌメロロジ間直交サブキャリアのみを参照することができ、前記ヌメロロジ間直交サブキャリアの各々は、前記第１のヌメロロジのサブキャリアと中央で位置整合される、送信装置。
【請求項２】
前記回路は、動作時、前記第１のヌメロロジおよび前記第２のヌメロロジのうちの一方の前記サブキャリアに前記データをマッピングし、
前記第１のヌメロロジおよび前記第２のヌメロロジのうちのそれぞれの他方の前記ヌメロロジのサブキャリアに前記参照信号をマッピングする、請求項１に記載の送信装置。
【請求項３】
前記第２のヌメロロジの前記サブキャリアは、前記ヌメロロジ間直交サブキャリアに加えて、前記第１のヌメロロジのいずれのサブキャリアとも中央で位置整合されず、前記第１のヌメロロジの２つの隣接するサブキャリアの間に位置する非ヌメロロジ間直交サブキャリアを含む、請求項１または２に記載の送信装置。
【請求項４】
前記回路は、動作時、前記第２のヌメロロジのヌメロロジ間直交サブキャリア、および、前記ヌメロロジ間直交サブキャリアに連続する、前記第２のヌメロロジの少なくとも１つの非ヌメロロジ間直交サブキャリアに、前記データおよび／または前記参照信号をマッピングし、
任意選択的に、
前記回路は、動作時、両方に前記データおよび／または前記参照信号がマッピングされる、前記第１のヌメロロジのサブキャリアと前記第２のヌメロロジのサブキャリアとの間に位置する前記リソースユニットの少なくとも１つのサブキャリアに送信パワーを割り当てず、
さらに任意選択的に、
送信パワーが割り当てられない前記リソースユニットの前記少なくとも１つのサブキャリアは、前記第２のヌメロロジのヌメロロジ間直交サブキャリアおよび少なくとも１つの非ヌメロロジ間直交サブキャリアを含む、請求項３に記載の送信装置。
【請求項５】
前記送信機は、動作時、前記第２のヌメロロジのヌメロロジ間直交サブキャリア上で前記データおよび／または前記参照信号を送信し、
前記回路は、動作時、前記第２のヌメロロジの２つのヌメロロジ間直交サブキャリアの間に位置するいずれの非ヌメロロジ間直交サブキャリアにも、送信パワーを割り当てない、請求項３に記載の送信装置。
【請求項６】
前記送信機は、動作時、参照され得る前記第１のヌメロロジまたは前記第２のヌメロロジのサブキャリアの各々を参照するバイナリ情報を含む、前記リソースユニットの前記マッピングの前記指示を送信するか、または
前記送信機は、動作時、前記第１のヌメロロジまたは前記第２のヌメロロジの開始サブキャリアへの参照、および、参照され得る同じ前記ヌメロロジの前記サブキャリアからの連続するサブキャリアを参照する数を含む、前記リソースユニットの前記マッピングの前記指示を送信するか、または
前記送信機が、動作時、前記第２のヌメロロジの前記サブキャリアを排他的に参照している、前記リソースユニットの前記マッピングの前記指示を送信する場合、
前記リソースユニットの前記マッピングの前記指示は、前記第２のヌメロロジの前記ヌメロロジ間直交サブキャリアの各々を参照するバイナリ情報を含み、かつ任意選択的に
前記回路が、前記第２のヌメロロジの少なくとも１つの連続する非ヌメロロジ間直交サブキャリアにも前記データおよび／または前記参照信号をマッピングしているか否かを示す補完情報をさらに含む、請求項３〜５のいずれか一項に記載の送信装置。
【請求項７】
前記送信機は、動作時、前記第１のヌメロロジまたは前記第２のヌメロロジの前記サブキャリアを排他的に参照している、前記リソースユニットの前記マッピングの前記指示を送信し、または
前記リソースユニットは、時間領域において少なくとも１つのシンボルを含む持続時間を有し、かつ
前記回路は、動作時、前記リソースユニットに含まれる前記少なくとも１つのシンボルに前記データおよび／または前記参照信号をマッピングし、かつ
前記送信機は、動作時、前記リソースユニットに含まれる前記シンボルの各々の前記マッピングの指示を送信する、請求項１〜６のいずれか一項に記載の送信装置。
【請求項８】
受信装置であって、
動作時、通信システムのリソースユニット内のデータおよび／または参照信号を受信する受信機であって、
前記リソースユニットは、第１のヌメロロジのサブキャリアおよび第２のヌメロロジのサブキャリアを含み、前記サブキャリアの各々は、同じ前記ヌメロロジの他の前記サブキャリアに直交し、前記第１のヌメロロジは、少なくとも、より大きいサブキャリア間隔だけ、前記第２のヌメロロジと異なり、前記第１のヌメロロジの前記サブキャリアおよび前記第２のヌメロロジの前記サブキャリアは、サブキャリアごとに周波数多重化される、受信機と、
動作時、前記第１のヌメロロジのサブキャリアおよび／または前記第２のヌメロロジのサブキャリアを含む前記リソースユニットから前記データおよび／または前記参照信号をデマッピングする回路と
を備え、
前記受信機は、動作時、前記第１のヌメロロジの前記サブキャリアおよび／または前記第２のヌメロロジの前記サブキャリアからのサブキャリアに対する参照を含む、前記リソースユニットのマッピングの指示をも受信し、
前記第１のヌメロロジについては、前記リソースユニットのすべてのサブキャリアを参照することができ、
前記第２のヌメロロジについては、前記第２のヌメロロジのヌメロロジ間直交サブキャリアのみを参照することができ、前記ヌメロロジ間直交サブキャリアの各々は、前記第１のヌメロロジのサブキャリアと中央で位置整合される、受信装置。
【請求項９】
前記回路は、動作時、前記第１のヌメロロジおよび前記第２のヌメロロジのうちの一方の前記サブキャリアから前記データをデマッピングし、
前記第１のヌメロロジおよび前記第２のヌメロロジのうちのそれぞれの他方の前記ヌメロロジのサブキャリアから前記参照信号をデマッピングする、請求項８に記載の受信装置。
【請求項１０】
前記第２のヌメロロジの前記サブキャリアは、前記ヌメロロジ間直交サブキャリアに加えて、前記第１のヌメロロジのいずれのサブキャリアとも中央で位置整合されず、前記第１のヌメロロジの２つの隣接するサブキャリアの間に位置する非ヌメロロジ間直交サブキャリアを含む、請求項８または９に記載の受信装置。
【請求項１１】
前記回路は、動作時、前記第２のヌメロロジのヌメロロジ間直交サブキャリア、および、前記ヌメロロジ間直交サブキャリアに連続する、前記第２のヌメロロジの少なくとも１つの非ヌメロロジ間直交サブキャリアから、前記データおよび／または前記参照信号をデマッピングし、
任意選択的に、
両方に前記データおよび／または前記参照信号がマッピングされる、前記第１のヌメロロジのサブキャリアと前記第２のヌメロロジのサブキャリアとの間に位置する前記リソースユニットの少なくとも１つのサブキャリアは送信パワーを割り当てられず、
さらに任意選択的に、
送信パワーが割り当てられない前記リソースユニットの前記少なくとも１つのサブキャリアは、前記第２のヌメロロジのヌメロロジ間直交サブキャリアおよび少なくとも１つの非ヌメロロジ間直交サブキャリアを含む、請求項１０に記載の受信装置。
【請求項１２】
前記受信機は、動作時、前記第２のヌメロロジのヌメロロジ間直交サブキャリア上で前記データおよび／または前記参照信号を受信し、
前記第２のヌメロロジの２つのヌメロロジ間直交サブキャリアの間に位置するいずれの非ヌメロロジ間直交サブキャリアにも、送信パワーは割り当てられない、請求項１０に記載の受信装置。
【請求項１３】
前記受信機は、動作時、参照され得る前記第１のヌメロロジまたは前記第２のヌメロロジのサブキャリアの各々を参照するバイナリ情報を含む、前記リソースユニットの前記マッピングの前記指示を受信するか、または
前記受信機は、動作時、前記第１のヌメロロジまたは前記第２のヌメロロジの開始サブキャリアへの参照、および、参照され得る同じ前記ヌメロロジの前記サブキャリアからの連続するサブキャリアを参照する数を含む、前記リソースユニットの前記マッピングの前記指示を受信するか、または
前記受信機が、動作時、前記第２のヌメロロジの前記サブキャリアを排他的に参照している、前記リソースユニットの前記マッピングの前記指示を受信する場合、
前記リソースユニットの前記マッピングの前記指示は、前記第２のヌメロロジの前記ヌメロロジ間直交サブキャリアの各々を参照するバイナリ情報を含み、かつ任意選択的に
前記回路が、前記第２のヌメロロジの少なくとも１つの連続する非ヌメロロジ間直交サブキャリアにも前記データおよび／または前記参照信号をマッピングしているか否かを示す補完情報をさらに含む、請求項１０〜１２のいずれか一項に記載の受信装置。
【請求項１４】
送信装置によって実施される送信方法であって、
データおよび／または参照信号を、通信システムのリソースユニットにマッピングするステップであって、
前記リソースユニットは、第１のヌメロロジのサブキャリアおよび第２のヌメロロジのサブキャリアを含み、前記サブキャリアの各々は、同じ前記ヌメロロジの他の前記サブキャリアに直交し、前記第１のヌメロロジは、少なくとも、より大きいサブキャリア間隔だけ、前記第２のヌメロロジと異なり、前記第１のヌメロロジの前記サブキャリアおよび前記第２のヌメロロジの前記サブキャリアは、サブキャリアごとに周波数多重化される、マッピングするステップと、
前記第１のヌメロロジのサブキャリアおよび／または前記第２のヌメロロジのサブキャリアを含む、前記リソースユニット内のマッピングされている前記データおよび／または前記参照信号を送信するステップと、
前記第１のヌメロロジの前記サブキャリアおよび／または前記第２のヌメロロジの前記サブキャリアからのサブキャリアに対する参照を含む、前記リソースユニットの前記マッピングの指示を送信するステップであって、
前記第１のヌメロロジについては、前記リソースユニットのすべてのサブキャリアを参照することができ、
前記第２のヌメロロジについては、前記第２のヌメロロジのヌメロロジ間直交サブキャリアのみを参照することができ、前記ヌメロロジ間直交サブキャリアの各々は、前記第１のヌメロロジのサブキャリアと中央で位置整合される、前記リソースユニットの前記マッピングの指示を送信するステップと
を含む、送信方法。
【請求項１５】
受信装置において実施される受信方法であって、
通信システムのリソースユニット内のデータおよび／または参照信号を受信するステップであって、
前記リソースユニットは、第１のヌメロロジのサブキャリアおよび第２のヌメロロジのサブキャリアを含み、前記サブキャリアの各々は、同じ前記ヌメロロジの他の前記サブキャリアに直交し、前記第１のヌメロロジは、少なくとも、より大きいサブキャリア間隔だけ、前記第２のヌメロロジと異なり、前記第１のヌメロロジの前記サブキャリアおよび前記第２のヌメロロジの前記サブキャリアは、サブキャリアごとに周波数多重化される、データおよび／または参照信号を受信するステップと、
前記第１のヌメロロジの前記サブキャリアおよび／または前記第２のヌメロロジの前記サブキャリアからのサブキャリアに対する参照を含む、前記リソースユニットのマッピングの指示を受信するステップであって、
前記第１のヌメロロジについては、前記リソースユニットのすべてのサブキャリアを参照することができ、
前記第２のヌメロロジについては、前記第２のヌメロロジのヌメロロジ間直交サブキャリアのみを参照することができ、前記ヌメロロジ間直交サブキャリアの各々は、前記第１のヌメロロジのサブキャリアと中央で位置整合される、前記リソースユニットの前記マッピングの指示を受信するステップと、
前記第１のヌメロロジのサブキャリアおよび／または前記第２のヌメロロジのサブキャリアを含む、前記リソースユニットから前記データおよび／または前記参照信号をデマッピングするステップと
を含む、受信方法。
【発明の詳細な説明】
【技術分野】
【０００１】
本開示は、サブキャリア間隔が異なるサブキャリアを含む通信システムのリソースにおけるデータおよび／または参照信号の送信および受信に関する。
【背景技術】
【０００２】
現在、第３世代パートナーシッププロジェクト（３ＧＰＰ）は、第５世代（５Ｇ）とも呼ばれる、次世代セルラ技術の技術仕様書の次のリリース（リリース１５）に取り組んでいる。３ＧＰＰ技術仕様グループ（ＴＳＧ）第７１回無線アクセスネットワーク（ＲＡＮ）ミーティング（３ＧＰＰ  Ｔｅｃｈｎｉｃａｌ  Ｓｐｅｃｉｆｉｃａｔｉｏｎ  Ｇｒｏｕｐ  （ＴＳＧ）  Ｒａｄｉｏ  Ａｃｃｅｓｓ  ｎｅｔｗｏｒｋ  （ＲＡＮ）  ｍｅｅｔｉｎｇ  ＃７１）（ヨーテボリ、２０１６年３月）において、ＲＡＮ１、ＲＡＮ２、ＲＡＮ３およびＲＡＮ４を含む最初の５Ｇ検討項目「新無線アクセス技術に関する検討（Ｓｔｕｄｙ  ｏｎ  Ｎｅｗ  Ｒａｄｉｏ  Ａｃｃｅｓｓ  Ｔｅｃｈｎｏｌｏｇｙ）」が承認されており、最初の５Ｇ規格を定義するリリース１５作業項目になると期待されている。
【０００３】
５Ｇ新無線（ＮＲ）の１つの目的は、少なくとも、大容量・高速通信（ｅＭＢＢ：ｅｎｈａｎｃｅｄ  ｍｏｂｉｌｅ−ｂｒｏａｄｂａｎｄ）、高信頼・超低遅延通信（ＵＲＬＬＣ：ｕｌｔｒａ−ｒｅｌｉａｂｌｅ  ｌｏｗ−ｌａｔｅｎｃｙ  ｃｏｍｍｕｎｉｃａｔｉｏｎｓ）、多数同時接続マシンタイプ通信（ｍＭＴＣ：ｍａｓｓｉｖｅ  ｍａｃｈｉｎｅ  ｔｙｐｅ  ｃｏｍｍｕｎｉｃａｔｉｏｎ）を含む、非特許文献１（ｗｗｗ．３ｇｐｐ．ｏｒｇにおいて利用可能であり、参照によりその全体が本明細書に組み込まれる）に定義されているすべての利用シナリオ、要件および展開シナリオに対処する単一の技術フレームワークを提供することである。
【０００４】
例えば、ｅＭＢＢ展開シナリオは、屋内ホットスポット、密集都市部、地方、市街地マクロおよび高速を含み得、ＵＲＬＬＣ展開シナリオは、産業制御システム、モバイルヘルスケア（遠隔モニタリング、診断および処置）、車両のリアルタイム制御、広域モニタリングおよびスマートグリッドの制御システムを含み得、ｍＭＴＣは、スマートウェアラブルおよびセンサネットワークのような、非タイムクリティカルなデータ転送を伴う多数のデバイスを含むシナリオを含み得る。
【０００５】
もう１つの目的は、将来のユースケース／展開シナリオを予期した上位互換性である。Ｌｏｎｇ  Ｔｅｒｍ  Ｅｖｏｌｕｔｉｏｎ（ＬＴＥ）への下位互換性は必要とされず、これによって、まったく新しいシステム設計および／または新規の特徴の導入が促進される。
【０００６】
ＮＲ検討項目の技術報告の１つ（非特許文献２）に要約されているように、基本的な物理レイヤ信号波形は、直交周波数分割多重化（ＯＦＤＭ）に基づくことになる。下りリンクと上りリンクの両方について、サイクリックプレフィックスを用いたＯＦＤＭ（ＣＰ−ＯＦＤＭ：ＯＦＤＭ  ｗｉｔｈ  ｃｙｃｌｉｃ  ｐｒｅｆｉｘ）に基づく波形がサポートされる。少なくとも、４０ＧＨｚまでのｅＭＢＢ上りリンクについてＣＰ−ＯＦＤＭを補完する、離散フーリエ変換（ＤＦＴ）拡散ＯＦＤＭ（ＤＦＴ−Ｓ−ＯＦＤＭ）に基づく波形もサポートされる。
【０００７】
ＮＲにおける設計目標の１つは、下りリンク、上りリンクおよびサイドリンクについて可能な限り共通の波形を模索することである。上りリンク送信の一部のケースについてはＤＦＴ拡散を導入する必要がなくならないかということが検討されてきた。「下りリンク（ｄｏｗｎｌｉｎｋ）」という用語は、上位ノードから下位ノードへの（例えば、基地局から中継ノードまたはＵＥへの、中継ノードからＵＥへの、など）通信を指す。「上りリンク（ｕｐｌｉｎｋ）」という用語は、下位ノードから上位ノードへの（例えば、ＵＥから中継ノードまたは基地局への、中継ノードから基地局への、など）通信を指す。「サイドリンク（ｓｉｄｅｌｉｎｋ）」という用語は、同じレベルにあるノード間の（例えば、２つのＵＥ間の、または２つの中継ノード間の、または２つの基地局間の）通信を指す。
【先行技術文献】
【非特許文献】
【０００８】
【非特許文献１】３ＧＰＰ  ＴＳＧ  ＲＡＮ  ＴＲ  ３８．９１３  ｖ１４．１．０，“Ｓｔｕｄｙ  ｏｎ  Ｓｃｅｎａｒｉｏｓ  ａｎｄ  Ｒｅｑｕｉｒｅｍｅｎｔｓ  ｆｏｒ  Ｎｅｘｔ  Ｇｅｎｅｒａｔｉｏｎ  Ａｃｃｅｓｓ  Ｔｅｃｈｎｏｌｏｇｉｅｓ”，Ｄｅｃ．  ２０１６
【非特許文献２】３ＧＰＰ  ＴＳＧ  ＴＲ  ３８．８０１  ｖ２．０．０，“Ｓｔｕｄｙ  ｏｎ  Ｎｅｗ  Ｒａｄｉｏ  Ａｃｃｅｓｓ  Ｔｅｃｈｎｏｌｏｇｙ；  Ｒａｄｉｏ  Ａｃｃｅｓｓ  Ａｒｃｈｉｔｅｃｔｕｒｅ  ａｎｄ  Ｉｎｔｅｒｆａｃｅｓ”，Ｍａｒｃｈ  ２０１７
【図面の簡単な説明】
【０００９】
【図１】種々のヌメロロジを示す概略図
【図２】異なるサブキャリア間隔のサブキャリアの入れ子構造を図解する概略図
【図３Ａ】非ヌメロロジ間直交サブキャリアに起因する干渉を図解する概略図
【図３Ｂ】非ヌメロロジ間直交サブキャリアに起因する干渉を図解する概略図
【図４】送信装置および受信装置の構造を示すブロック図
【図５】送信装置の別の例示的な構造およびその動作を示すブロック図
【図６】受信装置の別の例示的な構造およびその動作を示すブロック図
【図７Ａ】１５ｋＨｚおよび３０ｋＨｚ  ＳＣＳヌメロロジを利用する、混合ヌメロロジを用いるリソースユニットの概略図
【図７Ｂ】１５ｋＨｚおよび３０ｋＨｚ  ＳＣＳヌメロロジを利用する、混合ヌメロロジを用いるリソースユニットの概略図
【図８Ａ】１５ｋＨｚおよび３０ｋＨｚ  ＳＣＳヌメロロジを利用する、混合ヌメロロジを用いるリソースユニットにおけるデータ送信の概略図
【図８Ｂ】１５ｋＨｚおよび３０ｋＨｚ  ＳＣＳヌメロロジを利用する、混合ヌメロロジを用いるリソースユニットにおけるデータ送信の概略図
【図９Ａ】１５ｋＨｚおよび３０ｋＨｚ  ＳＣＳヌメロロジを利用する、混合ヌメロロジを用いるリソースユニットにおけるデータおよび参照の概略図
【図９Ｂ】１５ｋＨｚおよび３０ｋＨｚ  ＳＣＳヌメロロジを利用する、混合ヌメロロジを用いるリソースユニットにおけるデータおよび参照の概略図
【図１０Ａ】１５ｋＨｚおよび６０ｋＨｚ  ＳＣＳヌメロロジを利用する、混合ヌメロロジを用いるリソースユニットにおけるデータ送信の概略図
【図１０Ｂ】１５ｋＨｚおよび６０ｋＨｚ  ＳＣＳヌメロロジを利用する、混合ヌメロロジを用いるリソースユニットにおけるデータ送信の概略図
【図１０Ｃ】１５ｋＨｚおよび６０ｋＨｚ  ＳＣＳヌメロロジを利用する、混合ヌメロロジを用いるリソースユニットにおけるデータ送信の概略図
【発明を実施するための形態】
【００１０】
ＴＲ３８．９１３において確認されているように、ＮＲの様々なユースケース／展開シナリオには、データレート、レイテンシおよびカバレッジに関して多様な要件がある。例えば、ｅＭＢＢは、ＩＭＴ−Ａｄｖａｎｃｅｄによって現在提供されているものの３倍程度のピークデータレート（下りリンクについては最大２０Ｇｂｐｓ、および、上りリンクについては１０Ｇｂｐｓ）およびユーザ体験データレートをサポートすることが期待されている。他方、ＵＲＬＬＣのケースでは、超低遅延（ユーザプレーンレイテンシのＵＬおよびＤＬの各々について０．５ｍｓまで）および高信頼性についてより厳密な要件が課される。最後に、ｍＭＴＣは、高い接続密度（都市環境において最大１，０００，０００デバイス／ｋｍ２）、過酷な環境における大きいカバレッジ、および、低コストデバイスのごく長寿命のバッテリ（最大１５年）を必要とする。
【００１１】
それゆえ、ＮＲネットワークにおいては、複数のＯＦＤＭヌメロロジがサポートされ、その各々を、１つのサービスシナリオに最適化することができる。ヌメロロジ（ｎｕｍｅｒｏｌｏｇｙ）は、サブキャリア間隔およびＣＰオーバーヘッドによって定義される。
【００１２】
種々のヌメロロジにおけるサブキャリア間隔値は、基本サブキャリア間隔を、整数Ｎによってスケーリングすることによって導出されることが決定されている。ＲＡＮ１＃８５（南京、２０１６年５月）において、１５ｋＨｚのサブキャリア間隔を含む、ＬＴＥに基づくヌメロロジが、ＮＲヌメロロジのベースライン設計であることが、作業仮定として結論づけられた。スケーリング係数Ｎについては、Ｎ＝２ｍであることが、ベースライン設計仮定として結論づけられた。対応して、１５ｋＨｚ、３０ｋＨｚ、６０ｋＨｚ．．．のサブキャリア間隔が検討されている。図１は、３つの異なるサブキャリア間隔（１５ｋＨｚ、３０ｋＨｚ、および６０ｋＨｚ）および対応するシンボル持続時間を図解している。
【００１３】
シンボル持続時間Ｔｕおよびサブキャリア間隔Δｆは、式Δｆ＝１／Ｔｕを通じて直に関係付けられる。ＬＴＥシステムと同様に、「リソースエレメント（ｒｅｓｏｕｒｃｅ  ｅｌｅｍｅｎｔ）」（ＲＥ）という用語は、最小のリソースユニットが、１つのＯＦＤＭまたは単一キャリア（ＳＣ）周波数分割多元接続（ＳＣ−ＦＤＭＡ）シンボルの長さにわたる１つのサブキャリアを含んでいることを示すために使用される。
【００１４】
要件が多様である種々のサービスに対応するために、（ネットワークの観点から）同じＮＲキャリア帯域幅内の複数の異なるヌメロロジの多重化が、下りリンクと上りリンクの両方についてＴＤＭおよび／またはＦＤＭ様式においてサポートされることが決定されている。他方、ＵＥの観点から、ＵＥが、１つまたは２つ以上の使用シナリオをサポートすることができる（例えば、ｅＭＢＢ  ＵＥまたはｅＭＢＢとＵＲＬＬＣの両方をサポートするＵＥ）。一般的に言えば、２つ以上のヌメロロジをサポートすることで、ＵＥ処理が複雑になる可能性がある。
【００１５】
２ｍ×１５ｋＨｚのサブキャリア間隔について、サブキャリアが、１５ｋＨｚのサブキャリア間隔のサブキャリアのサブセット／スーパーセットに、周波数領域において入れ子状にマッピングされ、物理リソースブロック（ＰＲＢ：Ｐｈｙｓｉｃａｌ  Ｒｅｓｏｕｒｃｅ  Ｂｌｏｃｋ）格子が、周波数領域において入れ子状の１５ｋＨｚのサブキャリア間隔のＰＲＢ格子のサブセット／スーパーセットとして定義されることが決定されている。
【００１６】
図２は、１５ｋＨｚ、３０ｋＨｚ、および６０ｋＨｚの３つのサブキャリア間隔のサブキャリアの入れ子構造の１つの例を図解する。
【００１７】
（ＲＡＮ１＃８６において合意されているように）複数の異なるヌメロロジ内のサブキャリアが入れ子状にされる場合、複数の異なるヌメロロジ内の一定のサブキャリアは、複数の異なるヌメロロジにわたって直交する。図２に示すようなサブキャリアの入れ子構造の場合、以下のサブキャリアが、複数のヌメロロジにわたって直交する。
【００１８】
・  最大のＳＣＳ  Δｆｍａｘ（６０ｋＨｚ）について、すべてのサブキャリア、すなわち、ｋ＝０，１，２，．．．が、複数のヌメロロジにわたって直交する。
【００１９】
・  ＳＣＳ  Δｆ＝Δｆｍａｘ／Ｎについて、インデックスｋ×Ｎを有するサブキャリア、ｋは最大のＳＣＳのサブキャリアインデックス、が、複数のヌメロロジにわたって直交する。特に、ＳＣＳ  Δｆ＝３０Ｈｚの場合、サブキャリアｌ＝０，２，４，．．．が、複数のヌメロロジにわたって直交する。さらに、ＳＣＳ  Δｆ＝１５Ｈｚの場合、サブキャリアｍ＝０，４，８，．．．が、複数のヌメロロジにわたって直交する。
【００２０】
サブキャリアインデックス付けバイアスが、ＳＤＳ  Δｆ＝Δｆｍａｘ／Ｎを有する一定のヌメロロジに導入される場合、ヌメロロジ間直交サブキャリアはｋ×Ｎ＋バイアスとして定義される。例えば、１５ｋＨｚ−ＳＣＳサブキャリア＃１が６０ｋＨｚのＳＣＳサブキャリア＃０と位置整合される場合（１５ｋＨｚ−ＳＣＳヌメロロジのインデックス付けバイアスが１であることを意味する）、１５Ｈｚ−ＳＣＳ内のサブキャリアｌ＝１，５，９，．．．が、複数のヌメロロジにわたって直交する。
【００２１】
３ＧＰＰ  ＲＡＮ１＃８７において、ＮＲが、（ネットワークの観点から）ＦＤＭ／ＴＤＭ様式における複数の異なるヌメロロジの動的リソース配分を効率的にサポートするよう努めることが合意されている。動的リソース共有をサポートするために、スケジューラは、関与する複数の異なるヌメロロジに関して共有されるリソースにわたってチャネル状態情報（ＣＳＩ）を有するべきである。特に、各受信機は、チャネルパラメータを測定し、それに基づいて、送信機に定期的に（同期的におよび／または非同期的に）提供されるＣＳＩを生成する。ＬＴＥにおいて、および、期待されるところではＮＲにおいても、送信機は、スケジューラの役割を有することができ、基地局のようなネットワークノード内で実装される。他方、受信機は、任意の種類の端末（ユーザ機器、ＵＥ）であり得る。
【００２２】
ＬＴＥリリース１０以上において、ＣＳＩ参照信号（ＣＳＩ−ＲＳ）を使用して、ＵＥが、その後スケジューラにフィードバックされるＣＳＩレポートを形成することができる。ＣＳＩ−ＲＳは、ＬＴＥにおいては物理下りリンク共有チャネル（ＰＤＳＣＨ）内で搬送されるデータと周波数多重化される。ＰＤＳＣＨは、下りリンク方向において、すなわち、スケジューリングノード（基地局、ｅＮＢまたはｇＮＢ）からＵＥへと送信するための物理チャネルである。「共有（ｓｈａｒｅｄ）」という用語は、物理リソースが、接続に基づくのではなく、現在のトラフィックに基づいて、複数のＵＥの間で動的に配分される、すなわち、共有されるという事実を指す。
【００２３】
ＣＳＩ−ＲＳおよびＰＤＳＣＨは同じヌメロロジを使用して送信されるため、ＣＳＩ−ＲＳおよびＰＤＳＣＨを搬送するサブキャリアは互いに直交する。それゆえ、セル内でＣＳＩ−ＲＳとＰＤＳＣＨとの間に干渉はない。
【００２４】
ＮＲでは、ＣＳＩ−ＲＳがＣＳＩ取得についてサポートされることが合意されている。ＣＳＩレポートは、チャネルおよびセル間干渉の両方が測定されることを必要とし得る。しかしながら、ＮＲにおいて、複数のヌメロロジがネットワーク内で共存するという事実を考慮すると、ＣＳＩ−ＲＳおよびＰＤＳＣＨが異なるヌメロロジを使用して送信されるということが起こり得る。この結果として、概して、異なるヌメロロジに属するサブキャリアが直交しないために、ヌメロロジ間干渉が生じることになる。図３Ａは１つのこのような例を図解する。現在まで、ヌメロロジ間干渉を回避するために混合ヌメロロジについてＣＳＩ−ＲＳおよびＰＤＳＣＨの送信を協調させる方法は不明なままである。概して、データが送信されるチャネルはＰＤＳＣＨである必要はないことに留意されたい。この問題は、チャネルのタイプにかかわらず、異なるヌメロロジが共存するために発生する。概して、ペイロードおよび／または制御情報を搬送する任意のデータチャネルが考察され得、以下の例示的な実施形態は、任意のそのようなチャネルにも適用可能である。
【００２５】
図３Ａを参照すると、スロットｉにおいて、ＰＤＳＣＨ送信のための帯域幅が、１５ｋＨｚ−ＳＣＳヌメロロジと３０ｋＨｚ−ＳＣＳヌメロロジとの間で等しく分割される。しかしながら、スケジューラは、トラフィックの増大に対応するためにスロットｊにおいてより大きい周波数帯域幅にわたって１５ｋＨｚ−ＳＣＳ  ＵＥをスケジュールするために、共有帯域幅全体にわたって１５ｋＨｚ−ＳＣＳ  ＵＥからのＣＳＩを必要とする。それゆえ、スロットｉにおいて、１５ｋＨｚ  ＳＣＳを使用するＣＳＩ−ＲＳが、３０ｋＨｚ  ＳＣＳのデータ（ＰＤＳＣＨ）領域を介して送信され、結果、ヌメロロジ間干渉が生じる。ヌメロロジ間干渉は、
・  ＰＤＳＣＨからＣＳＩ−ＲＳへの干渉に起因して、チャネル推定品質、および
・  ＣＳＩ−ＲＳからＰＤＳＣＨへの干渉に起因して、ＰＤＳＣＨの復号
に悪影響を及ぼすことになる。
【００２６】
上記の記述は１５ｋＨｚ−ＳＣＳ  ＵＥの観点からのものである。他方、スケジューラも、３０ｋＨｚ−ＳＣＳ  ＵＥをスケジュールするために、これらのＵＥからのチャネル状態レポートを必要とする。このケースにおいては、ＣＳＩ−ＲＳ送信のためにヌメロロジを選択する、２つの選択肢がある。
【００２７】
第１の選択肢は、単一のヌメロロジが、共有帯域幅全体を介してＣＳＩ−ＲＳを送信するために使用されることである。例えば、図３Ａに示すように、１５ｋＨｚ  ＳＣＳが、１５ｋＨｚおよび３０ｋＨｚ  ＳＣＳによって共有されるＰＤＳＣＨ帯域幅を介してＣＳＩ−ＲＳを送信するために使用される。このとき、３０ｋＨｚ−ＳＣＳ  ＵＥは、例えば、ＣＳＩ構成メッセージによって、１５ｋＨｚ−ＳＣＳを使用してＣＳＩ−ＲＳを検出するように構成することができる。
【００２８】
この設計によって、１５ｋＨｚ−ＳＣＳ  ＵＥは、ＣＳＩ−ＲＳを検出し、単一の処理エンジンによって同時にデータチャネルを復号することができるが、単一の処理エンジンを用いる３０ｋＨｚ−ＳＣＳ  ＵＥは、まずデータをバッファリングし、その後、ＣＳＩ推定およびＰＤＳＣＨ復号を順次実施する必要があり得、ＣＳＩ報告のために余分な遅延を引き起こす可能性がある。合計ＣＳＩ報告時間を考えると、この余分な遅延は無視することができる。
【００２９】
第２の選択肢は、複数のヌメロロジが、ＣＳＩ−ＲＳを送信するために使用されることであり、ヌメロロジは各々、共有帯域幅全体にわたる。図３Ｂは、１つのそのような例を図解しており、ＣＳＩ−ＲＳが、１５ｋＨｚと３０ｋＨｚの両方のＳＣＳによって送信される。そのようなケースでは、各ＵＥが、データと同じヌメロロジを用いるＣＳＩ−ＲＳを検出する。それゆえ、ＵＥは、異なるヌメロロジを取り扱う必要がないが、ＣＳＩ−ＲＳのオーバーヘッドは、ネットワークの観点からは、第１の選択肢と比較して増大し得る。
【００３０】
ＣＳＩ−ＲＳに使用される１つまたは複数のヌメロロジにかかわらず、少なくとも定期的でセミパーシステントなＣＳＩ−ＲＳ送信については、ＣＳＩ−ＲＳおよび基礎となるＰＤＳＣＨが異なるヌメロロジによって送信される可能性が常にある。これは、一定のヌメロロジを用いるＰＤＳＣＨが、共有帯域幅にわたってスケジューリング間隔、またはＴＴＩごとに動的にスケジュールされ得、一方で、定期的でセミパーシステントなＣＳＩ−ＲＳリソースは、より遅い時間スケールに（例えば、複数のＴＴＩごとに）適合されるためである。異なるヌメロロジを用いるＣＳＩ−ＲＳおよびＰＤＳＣＨを混合することを許容しないことによって、ＰＤＳＣＨの使用されるヌメロロジをスケジューリングする柔軟性が大幅に制限され得る。
【００３１】
ヌメロロジ間干渉を部分的または完全に除去するために、いかなるデータまたは信号も搬送しない一部のリソースエレメントＲＥは、ミューティングされる必要がある。それゆえ、ＰＤＳＣＨ  ＲＥマッピングは、これらのミューティングされたＲＥを回避すべきである。例えば、基地局がＰＤＳＣＨをスケジューリングおよび送信するとき、ＰＤＳＣＨは、ミューティングされたＲＥを避けてレートマッチングすることができる。そのようなケースにおいて、ＰＤＳＣＨ  ＲＥマッピングは、正確なデマッピングのために、ＰＤＳＣＨを受信するＵＥに知られている必要がある。
【００３２】
ヌメロロジ間干渉に対処するためという上述した理由に加えて、ＰＤＳＣＨを受信するＵＥがＰＤＳＣＨ  ＲＥマッピングを通知されるべきである他の理由がある。例えば、ＮＲ設計が上位互換性を考慮に入れるべきであることが、３ＧＰＰにおいて合意されている。これは、何らかの機能が将来的に導入される場合、これが、先行するリリースによってサポートされているネットワークデバイスに悪影響を引き起こすべきではないことを意味する。この設計原理に照らして、ＵＥに、ＮＲの最初のリリースからのＰＤＳＣＨ  ＲＥマッピングを通知する一定の機構を有することが非常に有益である。この機構によって、一部のＲＥは、現在は分かっていないさらなる使用のために確保することができる。
【００３３】
ＬＴＥにおいて、ゼロパワー（ＺＰ）ＣＳＩ−ＲＳが、ＰＤＳＣＨレートマッチング向けに構成されることを可能にされる。この方法によって、ミューティングされることを可能にされるＲＥは、候補ＣＳＩ−ＲＳ位置内で制限される。それゆえ、ＬＴＥにおけるＺＰ  ＣＳＩ−ＲＳの概念は、ＮＲにおいては、ミューティングされるＲＥの様々なユースケースを潜在的に含むのに十分に柔軟でない可能性がある。本開示は、ＮＲシステム内で共存する混合ヌメロロジを考慮に入れて、ＰＤＳＣＨ  ＲＥマッピングを構成および指示するためのソリューションを提供する。
【００３４】
ＰＤＳＣＨはＣＳＩ−ＲＳとは異なるヌメロロジを用いて送信され得、したがって、ＰＤＳＣＨのための１つのＰＲＢがＣＳＩ−ＲＳのための複数のＰＲＢに対応する可能性があり、またその逆の可能性もあるため、本論述では、ＰＤＳＣＨ  ＲＥを構成するための（基本）リソースユニットが何であるかは不明なままである。（基本）リソースユニットとは、ＰＤＳＣＨ  ＲＥマッピングがその中で指示される時間領域および周波数領域におけるリソースを指す。このとき、このマッピングパターンは（基本）リソースユニットごとに繰り返される。ＬＴＥにおいては、混合ヌメロロジ問題はないため、基本リソースユニットは、周波数においては１ＰＲＢであり、時間においては１サブフレームである。しかしながら、ＮＲにおいては、ＰＤＳＣＨ  ＲＥマッピングの１つの構成が１つのＰＲＢに適用されるかまたは複数のＰＲＢに適用されるかは限定されない。
【００３５】
本開示によって解決されるもう１つの問題は、ＰＤＳＣＨ  ＲＥマッピングを構成するための粒度をどうするかである。例えば、粒度は単一のＲＥとすべきか、または、複数のＲＥとすべきか、である。複数のＲＥが１つの粒度にグループ化される場合は、連続したＲＥとすべきか、または、分散したＲＥとすべきかも問題である。構成のためには単一ＲＥの粒度が最も柔軟性があるが、シグナリングオーバーヘッドが大きくなる。本開示は、オーバーヘッドが低く、柔軟性が高い効率的な設計を提供する。
【００３６】
本開示は、混合ヌメロロジ参照ユニットにおける参照信号（例えば、ＣＳＩ−ＲＳ）およびデータ（例えば、ＰＤＳＣＨによって搬送される）の送信を協調させるためのソリューションを提供する。協調によって、受信装置が、それぞれのヌメロロジにおいて参照信号送信、もしくはデータ送信または両方の送信を受信することが可能である。
【００３７】
一般的に、本開示は、通信システムにおいて混合ヌメロロジを利用したリソースユニットにおけるマッピングの（例えば、固定サイズまたは小さいサイズを有する）効率的なシグナリングのための装置および方法を提供する。シグナリングはまた、マッピング指示としても参照され得る。
【００３８】
一部の例において、送信装置（またはマッピング回路）は、混合ヌメロロジ参照ユニットにおけるデータおよび／または参照信号を参照するマッピング指示をシグナリングする。この指示によって、受信装置（またはデマッピングユニット）は、混合ヌメロロジ参照ユニット内のデータおよび／または参照信号を受信する。
【００３９】
異なるヌメロロジにおいて、データおよび参照信号は、ＲＥレベルにおいて、すなわち、リソースエレメントごとに、ただし、異なるサブキャリア間隔で周波数多重化され得る。このとき、マッピング指示は、ＲＥレベルをも反映しなければならない。しかしながら、基本リソースユニット内のＲＥの数はヌメロロジに特有であるため、ＲＥレベルに関するマッピング指示は通常、基本リソースユニットが有する１つまたは複数のヌメロロジによって変化する。
【００４０】
代わりに、本開示においては、最大のサブキャリア間隔のヌメロロジのＲＥのみを指示することが提案されており、任意選択的に、受信機を、最大のサブキャリア間隔のヌメロロジにおいては参照とされ得ない追加のＲＥも同時に非明示的に示されるか否かについてアウェアにすることが提案される。
【００４１】
このマッピング指示の結果として、シグナリングが最大のサブキャリア間隔のヌメロロジのみに制限されるため、ヌメロロジ間で一貫して効率的なシグナリングがもたらされる。
【００４２】
図４は、（ワイヤレス）物理チャネル４５０を介して互いに通信する送信装置４１０と受信装置４６０とを含む通信システムのブロック図を図解する。
【００４３】
送信装置４１０は、動作時に、データおよび／または参照信号を、通信システムのリソースユニットにマッピングする回路４３０を備える。リソースユニットは、第１のヌメロロジのサブキャリアおよび第２のヌメロロジのサブキャリアを含む。第１のヌメロロジのサブキャリアおよび第２のヌメロロジのサブキャリアの各々は、同じヌメロロジの他のサブキャリアと直交する。第１のヌメロロジは、少なくとも、異なる（すなわち、より大きい）サブキャリア間隔だけ、第２のヌメロロジと異なる。また、第１のヌメロロジのサブキャリアおよび第２のヌメロロジのサブキャリアは、サブキャリアごとに周波数多重化される。
【００４４】
送信装置４１０は、動作時、第１のヌメロロジのサブキャリアおよび／または第２のヌメロロジのサブキャリアを含む、リソースユニット内のマッピングされているデータおよび／または参照信号を送信する送信機４２０をさらに備える。さらに、送信機４２０は、動作時、第１のヌメロロジのサブキャリアおよび／または第２のヌメロロジのサブキャリアからのサブキャリアに対する参照を含む、リソースユニットのマッピングの指示をも送信する。第１のヌメロロジについては、リソースユニットのすべてのサブキャリアを参照することができる。第２のヌメロロジについては、そのヌメロロジ間直交サブキャリアのみを参照することができ、ヌメロロジ間直交サブキャリアの各々は、第１のヌメロロジのサブキャリアと中央で位置整合される。
【００４５】
受信装置４６０は、動作時に、通信システムのリソースユニット内のデータおよび／または参照信号を受信する受信機４７０を備える。リソースユニットは、第１のヌメロロジのサブキャリアおよび第２のヌメロロジのサブキャリアを含み、サブキャリアの各々は、同じヌメロロジの他のサブキャリアに直交し、第１のヌメロロジは、少なくとも、より大きいサブキャリア間隔だけ、第２のヌメロロジと異なり、第１のヌメロロジのサブキャリアおよび第２のヌメロロジのサブキャリアは、サブキャリアごとに周波数多重化される。受信装置は、動作時、第１のヌメロロジのサブキャリアおよび／または第２のヌメロロジのサブキャリアを含むリソースユニットからデータおよび／または参照信号をデマッピングする回路４８０をさらに備える。受信機４７０は、動作時にまた、第１のヌメロロジのサブキャリアおよび／または第２のヌメロロジのサブキャリアからのサブキャリアへの参照を含む、リソースユニットのマッピングの指示をも受信し、第１のヌメロロジについては、リソースユニットのすべてのサブキャリアを参照することができ、第２のヌメロロジについては、そのヌメロロジ間直交サブキャリアのみを参照することができ、ヌメロロジ間直交サブキャリアの各々は、第１のヌメロロジのサブキャリアと中央で位置整合される。
【００４６】
送信装置によって実施される送信方法も開示される。送信方法は、データおよび／または参照信号を通信システムのリソースユニットにマッピングするステップであって、リソースユニットは、第１のヌメロロジのサブキャリアおよび第２のヌメロロジのサブキャリアを含み、サブキャリアの各々は、同じヌメロロジの他のサブキャリアと直交し、第１のヌメロロジは、少なくとも、より大きいサブキャリア間隔だけ、第２のヌメロロジと異なり、第１のヌメロロジのサブキャリアおよび第２のヌメロロジのサブキャリアは、サブキャリアごとに周波数多重化される、マッピングするステップと、第１のヌメロロジのサブキャリアおよび／または第２のヌメロロジのサブキャリアを含む、リソースユニット内のマッピングされているデータおよび／または参照信号を送信するステップと、第１のヌメロロジのサブキャリアおよび／または第２のヌメロロジのサブキャリアからのサブキャリアに対する参照を含む、リソースユニットのマッピングの指示を送信するステップであって、第１のヌメロロジについては、リソースユニットのすべてのサブキャリアを参照することができ、第２のヌメロロジについては、そのヌメロロジ間直交サブキャリアのみを参照することができ、ヌメロロジ間直交サブキャリアの各々は、第１のヌメロロジのサブキャリアと中央で位置整合される、マッピングの指示を送信するステップとを含む。
【００４７】
受信装置によって実施される受信方法がさらに開示される。受信方法は、通信システムのリソースユニット内のデータおよび／または参照信号を受信するステップであって、リソースユニットは、第１のヌメロロジのサブキャリアおよび第２のヌメロロジのサブキャリアを含み、サブキャリアの各々は、同じヌメロロジの他のサブキャリアに直交し、第１のヌメロロジは、少なくとも、より大きいサブキャリア間隔だけ、第２のヌメロロジと異なり、第１のヌメロロジのサブキャリアおよび第２のヌメロロジのサブキャリアは、サブキャリアごとに周波数多重化される、データおよび／または参照信号を受信するステップと、第１のヌメロロジのサブキャリアおよび／または第２のヌメロロジのサブキャリアからのサブキャリアへの参照を含む、リソースユニットのマッピングの指示を受信するステップであって、第１のヌメロロジについては、リソースユニットのすべてのサブキャリアを参照することができ、第２のヌメロロジについては、そのヌメロロジ間直交サブキャリアのみを参照することができ、ヌメロロジ間直交サブキャリアの各々は、第１のヌメロロジのサブキャリアと中央で位置整合される、リソースユニットのマッピングの指示を受信するステップと、第１のヌメロロジのサブキャリアおよび／または第２のヌメロロジのサブキャリアを含むリソースユニットからデータおよび／または参照信号をデマッピングするステップとを含む。
【００４８】
送信装置４１０は、基地局（スケジューリングノード）および／または端末（ＵＥ）内に具現化することができる。その上、受信装置４６０もまた、基地局および／または端末内に具現化することができる。
【００４９】
下りリンク動作において、基地局は、送信装置４１０として動作する。基地局は、種々のヌメロロジのマッピング指示を端末に送信することによって、端末を構成することができる。その後、基地局は、端末に対するデータをスケジューリングし、異なるヌメロロジにおいてデータおよび／または参照信号を端末に送信することができる。端末は、データおよび／または参照信号を受信し、マッピング情報を利用してこれをデマッピングすることができる。参照信号によって、端末は、チャネルおよび／またはセル間干渉を測定することができ、ＣＳＩレポートを基地局に提供し返すことができる。
【００５０】
上りリンク動作において、基地局は、受信装置４６０として動作する。基地局は、種々のヌメロロジのマッピング指示によって、端末を構成することができる。その後、基地局は、アップリンクリソース配分情報を端末に提供することによって、端末からの送信をスケジューリングすることができる。その後、端末は、マッピング情報に従って、基地局へのデータおよび／または参照信号を基地局に送信する。基地局は、データおよび／または参照信号を受信し、マッピング情報を利用してこれをデマッピングすることができる。
【００５１】
データおよび／または参照信号が、異なるヌメロロジを用いて送信および／または受信されることになるリソースエレメントに割り当てられる場合、データは、第１のヌメロロジおよび第２のヌメロロジのうちの一方のサブキャリアにマッピングされ得、参照信号は、第１のヌメロロジおよび第２のヌメロロジのうちのそれぞれの他方、すなわち、データがマッピングされるヌメロロジとは異なるヌメロロジにマッピングされ得る。
【００５２】
上記の「データ（ｄａｔａ）」という用語は、制御データおよび／またはペイロードを指す。「参照信号（ｒｅｆｅｒｅｎｃｅ  ｓｉｇｎａｌ）」という用語は、送信装置と受信装置の両方に分かっている信号を示す。例えば、参照信号の（少なくとも１つのパラメータの）位置および値は、規格において指定することができるか、または、事前に構成することができる。
【００５３】
通信システムは、ワイヤレスインタフェースを有するセルラシステムであってもよい。そのようなセルラシステムはまた、モバイルであってもよく、すなわち、送信／受信装置のシームレスモビリティをサポートする。データは、例えば、そのようなセルラシステムのＰＤＳＣＨ上で送信／受信することができる。さらに、参照信号の一例が、一般的な状態情報参照信号（ＣＳＩ−ＲＳ）である。しかしながら、本開示はこれに限定されず、むしろ、任意の通信システムの送信／受信に適用可能である。
【００５４】
種々のタイプのＣＳＩ−ＲＳは、非ゼロパワー（ＮＺＰ）ＣＳＩ−ＲＳ、および、送信パワーが配分されないゼロパワー（ＺＰ）ＣＳＩ−ＲＳを含む。ゼロパワーＣＳＩ−ＲＳは、セル間干渉測定値の測定のために構成される。本開示において、ＺＰ  ＣＳＩ−ＲＳは、同じく送信パワーが配分されないリソースエレメントである「ゼロパワーリソースエレメント」から区別される。しかしながら、概して、ＺＰリソースエレメントはいかなる測定向けにも構成されない。
【００５５】
ヌメロロジは、少なくとも、異なるヌメロロジが異なるサブキャリア間隔を有するように、そのサブキャリア間隔（ＳＣＳ）によって定義することができる。異なるヌメロロジを、参照信号の送信およびデータに使用することができる。例えば、３０ｋＨｚ  ＳＣＳのヌメロロジが、参照信号送信に使用され、１５ｋＨｚ  ＳＣＳのヌメロロジが、データ送信に使用される。
【００５６】
リソースユニットは、ＯＦＤＭシステムのサブキャリアに基づくことができる。そのようなリソースユニットは、複数のリソースを含むことができ、それらの各々は、ＯＦＤＭシンボルのように、周波数領域におけるサブキャリアおよび時間領域におけるシンボルによって定義することができる。１つのサブキャリアおよび１つのシンボルによって定義されるリソースは、リソースエレメント（ＲＥ）とも呼ばれ、これは、システムにおける最小の物理リソースである。
【００５７】
リソースユニットとは、マッピング指示がその中で構成される時間領域および周波数領域におけるリソースを指す。一般的に言えば、データおよび／または参照信号送信のためにスケジューリングされているリソースは、１つのリソースユニットよりもはるかに大きくなり得る。そのようなケースにおいて、１つのリソースユニット内で構成されているマッピングパターンは、スケジューリングされているリソースの全範囲にわたって繰り返される。
【００５８】
リソースユニットは、ヌメロロジから独立して定義される。この目的のために、リソースユニットは、通信システム内で一定の帯域幅によって定義することができる。例えば、リソースユニットは、最大サブキャリア間隔に関して、ヌメロロジの１２個のサブキャリアを含む。３０ｋＨｚ  ＳＣＳヌメロロジが最大サブキャリア間隔として使用されると仮定すると、リソースユニットは、周波数領域において３６０ｋＨｚになる。
【００５９】
リソースユニットはまた、ヌメロロジから独立して、物理リソースブロック（ＰＲＢ）に関して定義することもできる。ＬＴＥと同様に、ＮＲにおいて、物理リソースブロックは周波数領域において１２サブキャリアを含む。ＰＲＢのこの定義によれば、リソースユニットは、最大サブキャリア間隔を有するヌメロロジ内のＰＲＢである。
【００６０】
リソースユニットの定義は、データおよび参照信号が異なるヌメロロジによって送信される場合、データおよび参照信号の間で一貫しているべきである。例えば、ＣＳＩ−ＲＳが２つのＰＲＢにわたって１５ｋＨｚ  ＳＣＳによって構成されており、データ３０ｋＨｚ  ＳＣＳによって送信される場合、１つのリソースユニットは３０ｋＨｚ  ＳＣＳの１つのＰＲＢ（＝１５ｋＨｚ  ＳＣＳの２つのＰＲＢ）を含む。他方、ＣＳＩ−ＲＳが４つのＰＲＢにわたって１５ｋＨｚ  ＳＣＳによって構成されており、データ３０ｋＨｚ  ＳＣＳによって送信される場合、１つのリソースユニットは３０ｋＨｚ  ＳＣＳの２つのＰＲＢ（＝１５ｋＨｚ  ＳＣＳの４つのＰＲＢ）を含む。
【００６１】
以下において、例示的な実施形態による送信装置および受信装置の動作を、図５および図６に関連して説明する。送信装置は通信システムにおいて受信装置と相互運用し、その逆も真であるため、両方の装置が同じ処理動作を含むものとして示されており、同じ処理動作によって説明されるが、これは本開示を限定するものではない。
【００６２】
図５を参照すると、送信装置４１０の例示的な構造が示されている。特に、送信機４２０は、１つまたは複数のアンテナと、無線周波数（ＲＦ）モジュールと、デジタル−アナログ変換器（ＤＡＣ）とを備えることができる。
【００６３】
回路４３０は、１つのマッピング回路と、変調回路、サブキャリアマッピング回路、逆高速フーリエ変換（ＩＦＦＴ）回路、およびサイクリックプレフィックス（ＣＰ）付加回路のうちの１つまたは複数とを含むことができる。
【００６４】
この例示的な構造においては、３０ｋＨｚ  ＳＣＳの第１のヌメロロジが、参照信号送信に使用され、１５ｋＨｚ  ＳＣＳの第２のヌメロロジが、データ送信に使用される。異なるヌメロロジに起因して、別個の処理チェーンが、デジタル領域において並列に動作する。しかしながら、リソースユニットをバッファリングするときの順次処理も促進され得るため、本開示は、これに関して限定されるべきではない。
【００６５】
データおよび参照信号の送信のために、２つの別個の変調回路が、変調・符号化方式に従ってデータを変調し、そこから参照信号を分離し、変調されているデータおよび参照信号を、別個のサブキャリアマッピング回路に出力する。
【００６６】
同時に、マッピング回路は、それぞれいずれのサブキャリアに、データおよび参照信号がマッピングされるべきかを決定する。これは、受信装置をスケジューリングするスケジューラによって支援することができる。さらに、適用されるべきマッピングはまた、規格において指定することもでき、または、事前に構成することもできる。
【００６７】
その後、別個のサブキャリアマッピング回路が、マッピング回路からのマッピング情報に従って、変調されているデータを第１のヌメロロジのサブキャリアにマッピングし、変調されている参照信号を第２のヌメロロジの異なるサブキャリアにマッピングする。別個のサブキャリアマッピング回路が、それらのそれぞれの結果を別個のＩＦＦＴ回路に出力する。
【００６８】
別個のＩＦＦＴ回路が、異なるそれぞれの数のサブキャリアを用いて、逆高速フーリエ変換を実施する。逆高速フーリエ変換のサイズは、異なるヌメロロジに対して同じサンプリングレートを維持するように選択することができる。一般的に、離散コサイン変換ＤＣＴ／ＩＤＣＴまたは時間領域と周波数領域との間の任意の他の変換のような、ＦＦＴ／ＩＦＦＴ以外の変換が使用されてもよい。
【００６９】
時間領域サンプルが別個のＩＦＦＴ回路によって生成されると、別個のサイクリックプレフィックス（ＣＰ）付加回路によってサイクリックプレフィックスが付加される。異なるヌメロロジは異なるそれぞれのＣＰ超を有し得る。異なるヌメロロジに対して同じＣＰオーバーヘッドを維持するために、ＣＰ長は、サブキャリア間隔の同じスケーリング係数によってスケーリングすることができる。
【００７０】
その後、それらの時間領域サンプルが、異なるヌメロロジからのそれぞれのＣＰとともに加算される。次いで、デジタル−アナログ変換器（ＤＡＣ）が、取得されているサンプルをアナログ信号に変換しており、アナログ信号は次いで、無線周波数（ＲＦ）モジュールによって変換されて、１つまたは複数のアンテナを介して放出される。
【００７１】
送信装置４１０の上述した動作は、制御データおよびペイロードを含むいかなる種類のデータの送信についても同じである。これに関して、以下において、マッピング指示の送信についてさらなる区別は為されない。
【００７２】
マッピングが１つのリソースユニットについて構成された後、マッピング回路は、マッピング指示を変調回路に出力し、上述したものと同じ処理が、デジタルおよびアナログ領域において実施される。１つのリソースユニットについてマッピングが構成されると、このマッピングは、複数の連続するリソースユニットに適用することができる。
【００７３】
一般的に、送信装置は、最初にマッピング指示を送信し、その後、マッピングされているデータおよび参照信号を送信するように構成されている。それによって、受信装置が、動作時、マッピングされているデータおよび参照信号を受信時に直ちにデマッピングすることができることを保証することができる。本開示は、これに関して限定されるべきではない。代替的に、受信装置はまた、デマッピングする前に、マッピングされているデータおよび参照をバッファリングしてもよい。
【００７４】
図６を参照すると、受信装置４６０の例示的な構造が図解されている。特に、受信機４７０は、１つまたは複数のアンテナと、無線周波数（ＲＦ）モジュールと、アナログ−デジタル変換器（ＡＤＣ）とを備えることができる。
【００７５】
回路４８０は、１つのマッピング回路と、サイクリックプレフィックス（ＣＰ）除去回路、高速フーリエ変換（ＦＦＴ）回路、サブキャリアデマッピング回路、および復調回路のうちの１つまたは複数とを含むことができる。任意選択の回路が、破線によって示されている。
【００７６】
この例示的な構造において、無線信号が１つまたは複数のアンテナを介して受信され、その後、無線周波数（ＲＦ）モジュールによって変換され、その後、アナログ−デジタル変換器（ＡＤＣ）によってアナログ領域からデジタル領域に変換される。
【００７７】
異なるヌメロロジによって、さらなる受信処理を並列に、すなわち、第１のヌメロロジに対して構成されている１つの処理チェーンによって、および、（任意選択的に）第２のヌメロロジに対して構成されている別の処理チェーンによって実行することができる。しかしながら、これは、すべての端末カテゴリについて必要になるものではない。むしろ、受信装置はまた、リソースユニット内の単一のヌメロロジを受信するための単一の処理チェーンのみを有し、リソースユニット内のさらなるヌメロロジを廃棄することもできる。
【００７８】
例えば、受信装置４６０は、１５ｋＨｚ  ＳＣＳのヌメロロジがデータ送信に使用されているデータを受信するように構成される。並列処理機能がない場合、受信装置は、３０ｋＨｚ  ＳＣＳのヌメロロジが参照信号送信に使用されている参照信号を受信するように再構成される必要がある。他方、スケジューラは、そのような装置についてデータ送信をスケジューリングするときに、データおよび参照信号が同じ装置向けに意図されないことを保証することができる。
【００７９】
ＣＰ除去セクションは、デジタル受信信号において、ヌメロロジに対応する長さの添付されているサイクリックプレフィックスを除去し、ＦＦＴ回路は、対応して適合されている数のサブキャリアによって高速フーリエ変換動作を実施して、デジタル受信信号を時間領域から周波数領域に変換する。言い換えれば、高速フーリエ変換のサイズは、ヌメロロジに対応するように選択されなければならない。
【００８０】
その後、サブキャリアデマッピング回路が、対応するヌメロロジのサブキャリアを変調データにデマッピングし、これを復調回路に出力する。デマッピングは、デマッピング回路において受信されているマッピング指示に従って実行される。言い換えれば、マッピング指示は、サブキャリアデマッピング回路が、対応するヌメロロジのサブキャリアを識別し、他の１つまたは複数のヌメロロジのサブキャリアを廃棄するのを助ける。
【００８１】
復調回路において、対応するヌメロロジのサブキャリアが、変調・符号化方式に従って復調されて、その中で送信されているデータが復元される。受信装置４６０が参照信号を受信するように構成されている場合、同じ処理フローが行われる。このときに限り、処理は、参照信号送信に使用されている３０ｋＨｚ  ＳＣＳのヌメロロジに対して適合される必要がある。
【００８２】
ここでも、受信装置４６０の上述した動作は、制御データおよびペイロードを含むいかなる種類のデータの送信についても同じであることが強調されるべきである。これに関連して、マッピング指示の受信についてさらなる区別は行われず、マッピング指示は、１つのリソースユニットに対して有効であってもよく、または、例えば、データ送信が複数のリソースユニットにまたがる範囲にわたってスケジューリングされている場合は、複数の連続するリソースユニットに対して有効であってもよい。これに関連して、受信装置における処理は、マッピング指示がもはや有効でない場合にのみ再構成される必要がある。
【００８３】
上記から明らかであるように、異なるヌメロロジのサブキャリアへの参照に柔軟に対応することができる、マッピング指示を送信するための効率的なシグナリングが必要である。この目的のために、ヌメロロジ間直交サブキャリアへの参照のみを含むマッピング指示が考案されている。
【００８４】
ヌメロロジ間直交性
図２に関連して説明したように、異なるヌメロロジの入れ子状サブキャリアが使用されるとき、異なるヌメロロジの一定のサブキャリアが、複数のヌメロロジにわたって直交する。サブキャリアは、以下の条件に当てはまる場合に、ヌメロロジ間直交であると考えられる。これらのサブキャリアが１つのヌメロロジによる送信に使用される場合にかつその場合に限り、これらのサブキャリアによって搬送される信号は、別のヌメロロジを使用することによって干渉することなく受信することができる。
【００８５】
例えば、第１のヌメロロジが６０ｋＨｚのＳＣＳを有する場合があり、第２のヌメロロジが１５ｋＨｚのＳＣＳを有する場合がある。送信装置は、このとき、１５ｋＨｚのサブキャリア間隔を有するヌメロロジのヌメロロジ間直交サブキャリア、すなわち、図２のサブキャリアナンバリングに従って、＃０、＃４、＃８、．．．のサブキャリアのＯＦＤＭシンボルを送信することができる。受信装置においては、６０ｋＨｚ  ＳＣＳを使用することによって、ヌメロロジ間干渉を有することなく、１５ｋＨｚ  ＳＣＳのサブキャリアを介して、正確な送信データを復元することができる。
【００８６】
しかしながら、１５ｋＨｚ  ＳＣＳを有するヌメロロジのいずれか１つまたは複数の非ヌメロロジ間直交サブキャリア、例えば、サブキャリア＃１が送信される場合、これによって、送信信号が６０ｋＨｚ  ＳＣＳによって復元されるとき、６０ｋＨｚ  ＳＣＳのすべてのサブキャリアに対する干渉が生成される。上記例において、１５ｋＨｚにおけるサブキャリア＃１に最も近い６０ｋＨｚ  ＳＣＳにおけるサブキャリア＃０および＃１は、このとき、１５ｋＨｚ  ＳＣＳにおけるサブキャリア＃１によって生成されるヌメロロジ間干渉によって大きく影響を受ける。
【００８７】
本開示は、６０ｋＨｚである第１のヌメロロジのＳＣＳおよび１５ｋＨｚである第２のヌメロロジのサブキャリア間隔に限定されない。他の混合ヌメロロジは、例えば、６０ｋＨｚである第１のヌメロロジのサブキャリア間隔を含んでもよく、第２のヌメロロジのサブキャリア間隔はまた、３０ｋＨｚであってもよい。さらなる例示的な、第１のヌメロロジのサブキャリア間隔は、６０ｋＨｚよりも大きくてもよく、例えば、１２０ｋＨｚであってもよい。その上、１０ｋＨｚ、２０ｋＨｚ、４０ｋＨｚ、および８０ｋＨｚの入れ子状サブキャリア間隔を有するヌメロロジも使用されてもよい。
【００８８】
したがって、２つのヌメロロジは、第１のヌメロロジのサブキャリアが互いに直交するように選択することができる。第２のヌメロロジのサブキャリアは、ヌメロロジ間直交サブキャリアおよび非ヌメロロジ間直交サブキャリアを含む。
【００８９】
図２に示すように、第２のヌメロロジの直交間サブキャリアの各サブキャリアは、第１のヌメロロジが第２のヌメロロジよりも大きいサブキャリア間隔を有する場合、第１のヌメロロジのサブキャリアと中央で位置整合される。言い換えれば、第２のヌメロロジのヌメロロジ間直交サブキャリアは、各々、第１のヌメロロジのサブキャリアと同じ位置にある。
【００９０】
非直交間サブキャリアは、第１のヌメロロジのいずれのサブキャリアとも中央で位置整合されず、第１のヌメロロジの２つの隣接するサブキャリアの間に位置する。例えば、第１のヌメロロジおよび第２のヌメロロジがそれぞれ６０ｋＨｚ  ＳＣＳおよび３０ｋＨｚ  ＳＣＳである場合、３０ｋＨｚ  ＳＣＳのサブキャリア＃０、＃２、＃４、．．．はそれぞれ、第１のヌメロロジのサブキャリア＃０、＃１、＃２、．．．と中央で位置整合される。他方、第２のヌメロロジのサブキャリア＃１、＃３、＃５は、第１のヌメロロジのいずれのサブキャリアとも中央で位置整合されず、ただし、典型的には、各ヌメロロジ内では、サブキャリアは互いに直交する。
【００９１】
２つの中央で位置整合されたサブキャリア自体は、両方が非ゼロパワーによって変調される場合には互いに干渉する可能性がある。例えば、図２において、３０ｋＨｚ  ＳＣＳを有するヌメロロジのサブキャリア＃２は、６０ｋＨｚ  ＳＣＳを有するヌメロロジのサブキャリア＃１と、両方が送信に使用される場合に干渉する。しかしながら、３０ｋＨｚ  ＳＣＳを有するヌメロロジの上記サブキャリア＃２は、６０ｋＨｚ  ＳＣＳを有するヌメロロジのいかなる他のサブキャリアとも干渉しない。
【００９２】
それゆえ、本開示において、同じ位置にあるサブキャリアのうちの１つのみが非ゼロパワーを配分される限り、サブキャリアが属するヌメロロジにかかわらず、任意の２つの同じ位置にないサブキャリアの間に干渉はないという理解のもと、異なるヌメロロジからの中央で位置整合されたサブキャリアは、「ヌメロロジ間直交」サブキャリアと呼ばれる。
【００９３】
マッピング指示
すでに前述したように、マッピング指示は、異なるヌメロロジを用いるリソースユニット内のサブキャリアへの参照に柔軟に対応することができる場合に、効率的にシグナリングされる。この柔軟性は、混合ヌメロロジを用いるリソースユニットにおける異なるヌメロロジのヌメロロジ間直交サブキャリアのみを参照するマッピング指示によって達成される。したがって、マッピング指示は、異なるヌメロロジを用いるリソースユニットにおけるデータおよび／または参照信号の受信を支援する。
【００９４】
詳細には、マッピング指示は、第１のヌメロロジからの、または第２のヌメロロジからの、または第１のヌメロロジと第２のヌメロロジの両方からのサブキャリアへの参照を含む。異なるヌメロロジの受信が受信装置において可能であるという稀なケースにおいてのみ、マッピング指示は、第１のヌメロロジと第２のヌメロロジの両方への参照を含む。このケースにおいてさえも、例えば、１つのヌメロロジを参照するデータのための１つと、もう１つのヌメロロジを参照するＣＳＩ−ＲＳのためのもう１つとの、２つのマッピング指示を構成することが可能である。しかしながら、１つのマッピング指示が第１のヌメロロジと第２のヌメロロジの両方を参照することを可能にすることによって、端末のモニタリング労力を節約することができる場合がある。より一般的なケースにおいて、マッピング指示は、第１のヌメロロジへの参照または第２のヌメロロジへの参照のいずれかを含む。
【００９５】
以下において、第１のヌメロロジは、より大きいサブキャリア間隔だけ、第２のヌメロロジと異なると仮定される。図７Ａおよび図７Ｂに例示されているように、第１のヌメロロジが、参照信号（例えば、ＣＳＩ−ＲＳ）の送信に３０ｋＨｚ  ＳＣＳを使用してもよく（図７Ａの左側）、第２のヌメロロジが、データ（例えば、ＰＤＳＣＨ）の送信に１５ｋＨｚ  ＳＣＳを使用してもよく（図７Ａの右側）、または、第１のヌメロロジが４＊１５＝６０ｋＨｚＳＣＳを使用してもよく（図７Ｂの左側）、第２のヌメロロジが１５ｋＨｚ  ＳＣＳを使用してもよい（図７Ｂの右側）。
【００９６】
第１のヌメロロジが第２のヌメロロジよりも大きいサブキャリア間隔を有するという仮定の下、マッピング指示は、第１のヌメロロジについて、リソースユニット内の第１のヌメロロジのすべてのサブキャリアへの参照を含み、第２のヌメロロジについて、参照ユニット内の第２のヌメロロジのヌメロロジ間直交サブキャリアのみへの参照を含むように定義される。上記と一致して、第２のヌメロロジのヌメロロジ間直交サブキャリアの各々は、第１のヌメロロジのサブキャリアと中央で位置整合される。
【００９７】
有利には、マッピング指示は、第１のヌメロロジと第２のヌメロロジの両方について、サブキャリアへの同じ数の参照を含む。しかしながら、異なるヌメロロジに起因して、中央で位置整合されたサブキャリアは、図２から明らかであるように、異なるサブキャリアインデックスによって参照される。
【００９８】
しかしながら、このマッピング指示の定義は、第２のヌメロロジについて、非ヌメロロジ間直交サブキャリアを参照することができないという状況をもたらす。上記と一致して、非ヌメロロジ間直交サブキャリアは、第１のヌメロロジのいずれのサブキャリアとも中央で位置整合されない。さらに、第１のヌメロロジと第２のヌメロロジとの間のサブキャリア間隔関係に応じて、第２のヌメロロジの非ヌメロロジ間直交サブキャリアの１つ、３つ、．．．のサブキャリアは、第１のヌメロロジの２つの隣接するサブキャリアの間に位置する。
【００９９】
マッピング指示は、第２のヌメロロジ内のすべてのサブキャリアを参照するのではない。その上、マッピング指示の定義は、異なるヌメロロジによる実際のデータ送信および実際の参照送信とは無関係である。より小さいサブキャリア間隔を有する第２のヌメロロジを使用したデータまたは参照信号送信は、それぞれのヌメロロジのすべてのサブキャリア状で実行することができる。
【０１００】
混合ヌメロロジによれば、マッピング指示は、依然としてＲＥベースで行われる。しかしながら、マッピング指示は必ずしも、送信を実行することができるすべてのリソースエレメントを参照するとは限らない。１２個のサブキャリアを含むものとして定義される物理リソースブロック（ＰＲＢ）に関して、マッピング指示は必ずしも、ＰＲＢを形成するすべての（１２個の）サブキャリアを参照するとは限らないと言うことができる。それとは無関係に、混合ヌメロロジにおいては、送信は依然として、ＰＲＢのすべての（１２個の）サブキャリア状で実行することができる。
【０１０１】
例えば図７Ａにおいて、マッピング指示は、第１のヌメロロジのＰＲＢ内のすべての（１２個の）サブキャリアを参照することができる（図７Ａの左側）と言うことができ、また、マッピング指示は、第２のヌメロロジのＰＲＢ内の６つのサブキャリアのみを参照することができる（図７Ａの右側、１つのリソースユニット（第２のヌメロロジの２つのＰＲＢを含む）内の第１のＰＲＢ）と言うことができる。図７Ｂの例において、マッピング指示は、第１のヌメロロジのＰＲＢ内のすべての（１２個の）サブキャリアを参照することができ（図７Ｂの左側）、マッピング指示は、第２のヌメロロジの１つのＰＲＢ内の３つのサブキャリアのみを参照することができると言うことができる。
【０１０２】
以下において、混合ヌメロロジを用いるリソースユニット内の、マッピング指示においては参照することができないサブキャリア上のデータ送信を促進する、２つの異なるタイプの送信が開示される。
【０１０３】
連続タイプ送信
混合ヌメロロジによれば、「連続タイプ送信」は、より小さいサブキャリア間隔を有するヌメロロジ（ここでは、第２のヌメロロジ）のサブキャリア上での送信、例えば、データ送信（例えば、ＰＤＳＣＨ上で実行される）または参照信号送信（例えば、ＣＳＩ−ＲＳ）のみに適用される。第１のヌメロロジについては、すべてのサブキャリアを参照することができるため、このとき、マッピング指示は、いずれのサブキャリアが連続使用と非連続使用の両方に使用されるかを、簡単に示すことができることに留意されたい。より小さいサブキャリア間隔に起因して、第２のヌメロロジのみにおいては、参照することができないサブキャリア（すなわち、非ヌメロロジ間直交サブキャリア）が存在する。したがって、混合ヌメロロジ参照ユニットにおける第２のヌメロロジの送信にだけは、以下が適用される。
【０１０４】
このコンテキストにおいて、連続タイプ送信は、第２のヌメロロジのヌメロロジ間直交サブキャリアを参照するマッピング指示が、後続の非ヌメロロジ間直交サブキャリアを参照するものとして（も）解釈されると定義される。このマッピング指示解釈に起因して、１つのヌメロロジ間直交サブキャリアと、１つまたは複数の連続する非ヌメロロジ間直交サブキャリアとから成る連続するグループを、連続タイプ送信（および受信）に使用することができる。
【０１０５】
ここでも、連続タイプ送信について、マッピング指示は依然として、第２のヌメロロジのヌメロロジ間直交サブキャリアのみを参照する。しかしながら、送信装置および受信装置におけるマッピング指示の一致した解釈が、第２のヌメロロジにおける連続タイプ送信を可能にする。言い換えれば、送信装置および受信装置は、両方が、１つのヌメロロジ間直交サブキャリアと、１つまたは複数の連続する非ヌメロロジ間直交サブキャリアとから成るグループ（のみ）を参照しているものとしてマッピング指示を理解する。
【０１０６】
例えば、図８Ａにおいて、１５ｋＨｚ  ＳＣＳを有する第２のヌメロロジについての、連続タイプデータ送信（例えば、ＰＤＳＣＨ上で実行される）が示されている。より詳細には、この図において、送信装置はデータおよび参照信号を、混合ヌメロロジを用いてマッピングすると仮定される。送信装置は、参照ユニットが第１のヌメロロジにおける参照信号送信を示さないにもかかわらず（図８Ａの左部分）、混合ヌメロロジを使用する。特に、送信装置は、データ送信を、ヌメロロジ間直交サブキャリア＃０（図２と一致したナンバリングを仮定するとき、図８Ａにおいては上から下へとカウントする）と、サブキャリア＃０に連続する非ヌメロロジ間直交サブキャリア＃１とから成るグループにマッピングする（図８Ａの右部分）。
【０１０７】
同様の連続タイプデータ送信（例えば、ＰＤＳＣＨ上で実行される）が、参照ユニット内の１５ｋＨｚ  ＳＣＳを使用する第２のヌメロロジについて、図１０Ａに示されており、ここで、第１のヌメロロジは６０ｋＨｚ  ＳＣＳを使用する。
【０１０８】
図９Ａの例を参照すると、ここでも、１５ｋＨｚ  ＳＣＳを有する第２のヌメロロジについての、連続タイプデータ送信（例えば、ＰＤＳＣＨ上で実行される）が示されている。より詳細には、この図は、送信装置がデータおよび参照信号を、混合ヌメロロジを用いてマッピングするリソースユニットを示している。参照信号送信（例えば、ＣＳＩ−ＲＳ）は、送信デバイスによって、３０ｋＨｚ  ＳＣＳを有する第１のヌメロロジのサブキャリア＃０およびサブキャリア＃１（図２と一致したナンバリングを仮定するとき、図９Ａにおいては上から下へとカウントする）上で実行される。同時に、送信装置は、第２のヌメロロジのサブキャリア＃６〜サブキャリア＃２１上で、すなわち、第２のヌメロロジの１つのヌメロロジ間直交サブキャリアと１つの連続する非ヌメロロジ間直交サブキャリアとから成る８つのグループ内で、連続タイプデータ送信を実行する。
【０１０９】
２つの例の両方において、送信装置および受信装置は、マッピング指示の共通の解釈を有し、すなわち、ヌメロロジ間直交サブキャリアへの参照が、第２のヌメロロジの連続する非ヌメロロジ間直交サブキャリアへの参照としても解釈されるという点において、解釈が一致している。
【０１１０】
再び図９Ａを参照すると、この図において、ヌメロロジ間干渉をさらに低減することを促進する、有利なマッピング規則の結果が示されている。この目的のために、送信装置は、第１のヌメロロジと第２のヌメロロジとの間に「間隙」が生じるように、データ送信および参照信号送信を、それぞれ第１のヌメロロジのサブキャリアおよび第２のヌメロロジのサブキャリアにマッピングする。言い換えれば、送信装置は、参照信号がマッピングされる第１のヌメロロジのサブキャリアと、データがマッピングされる第２のヌメロロジの別のサブキャリアとの間に位置する少なくとも１つのサブキャリアに、送信パワーを割り当てない。
【０１１１】
図９Ａの例において、図２のものと同じナンバリングを仮定し、図９Ａにおいては上から下へとカウントして、第２のヌメロロジのサブキャリア＃４およびサブキャリア＃５に送信パワーは割り当てられず（図９Ａの右側）、第１のヌメロロジのサブキャリア＃２にも送信パワーは割り当てられない（図９Ａの左側）。それによって、第１のヌメロロジと第２のヌメロロジとの間のヌメロロジ間干渉は減少する。周波数折り返しからの干渉を低減するために、ゼロ送信パワーは、第２のヌメロロジのサブキャリア＃２２およびサブキャリア＃２３にも割り当てられる。
【０１１２】
第１のヌメロロジのより大きいサブキャリア間隔に関して「間隙」が生じる場合、リソースフラグメント化を回避することができる。言い換えれば、常に、ヌメロロジ間直交サブキャリアおよび１つまたは複数の非ヌメロロジ間直交サブキャリア（例えば、ともに第１のヌメロロジのサブキャリア間隔に対応する）がともに送信パワーを割り当てられないように、第１のヌメロロジのものと第２のヌメロロジのものとの間に位置するサブキャリアへのゼロ送信パワーの割り当てが実行される。ヌメロロジ間干渉をさらに低減するために、データおよび／または参照信号送信に利用可能なリソースが少なくなるのと引き換えに、２つ以上のそのようなサブキャリアバンドルにゼロパワーを割り当てることができる。
【０１１３】
図８Ａおよび図９Ａの例は、２のスケーリング係数を用いる、例えば、３０ｋＨｚ  ＳＣＳ対１５ｋＨｚ  ＳＣＳを用いる混合ヌメロロジを示す。図１０Ａは、４のスケーリング係数が使用されている別の例を示す。
【０１１４】
非連続タイプ送信
混合ヌメロロジによれば、「非連続タイプ」送信も、より小さいサブキャリア間隔を有するヌメロロジのサブキャリア上での送信、例えば、データ送信（例えば、ＰＤＳＣＨ上で実行される）または参照信号送信（例えば、ＣＳＩ−ＲＳ）のみに適用される。より小さいサブキャリア間隔に起因して、第２のヌメロロジのみにおいては、参照することができないサブキャリア（すなわち、非ヌメロロジ間直交サブキャリア）が存在する。したがって、混合ヌメロロジ参照ユニットにおける第２のヌメロロジの送信にだけは、以下が適用される。
【０１１５】
このコンテキストにおいて、非連続タイプ送信は、第２のヌメロロジのヌメロロジ間直交サブキャリアを参照するマッピング指示が、代わりにゼロ送信パワーを割り当てられる、連続する非ヌメロロジ間直交サブキャリアを（明示的に）参照しないものとして解釈されることを規定する。このマッピング指示解釈に起因して、ヌメロロジ間直交サブキャリアの非連続的なグループ（すなわち、非ヌメロロジ間直交サブキャリアは除外する）のみを、非連続タイプ送信（および受信）に使用することができる。
【０１１６】
ここでも、非連続タイプ送信について、マッピング指示は依然として、第２のヌメロロジのヌメロロジ間直交サブキャリアのみを参照する。しかしながら、送信装置および受信装置におけるマッピング指示の一致した解釈が、第２のヌメロロジにおける非連続タイプ送信を可能にする。言い換えれば、送信装置および受信装置は、両方が、第２のヌメロロジの参照ヌメロロジ間直交サブキャリアに連続して位置する非ヌメロロジ間直交サブキャリアに送信パワーが割り当てられないことを規定しているものとしてマッピング指示を理解する。
【０１１７】
異なる検討において、非連続タイプ送信の場合、送信装置は、第２のヌメロロジの２つのヌメロロジ間直交サブキャリアの間に位置するいずれの非ヌメロロジ間直交サブキャリアにも、送信パワーを割り当てない。
【０１１８】
例えば、図８Ｂにおいて、１５ｋＨｚ  ＳＣＳを有する第２のヌメロロジについての、非連続タイプデータ送信（例えば、ＰＤＳＣＨ上で実行される）が示されている。より詳細には、この図において、送信装置はデータおよび参照信号を、混合ヌメロロジを用いてマッピングすると仮定される。送信装置は、参照ユニットが第１のヌメロロジにおける参照信号送信を示さないにもかかわらず（図８Ｂの左部分）、混合ヌメロロジを使用する。特に、送信装置は、第２のヌメロロジの非ヌメロロジ間直交サブキャリア、すなわち、奇数番号のサブキャリア＃１、＃３、＃５〜サブキャリア＃２３（図８Ｂの左側）に送信パワーが割り当てられないように、リソースユニット内の第２のヌメロロジのすべての（１２個の）ヌメロロジ間直交サブキャリア、すなわち、偶数番号のサブキャリア＃０、＃２、＃４〜サブキャリア＃２２（図２と一致したナンバリングを仮定するとき、図８Ｂにおいては上から下へとカウントする）に、非連続的にデータ送信をマッピングする。
【０１１９】
同様の非連続タイプデータ送信（例えば、ＰＤＳＣＨ上で実行される）が、参照ユニット内の１５ｋＨｚ  ＳＣＳを使用する第２のヌメロロジについて、図１０Ｂに示されており、ここで、第１のヌメロロジは６０ｋＨｚ  ＳＣＳを使用する。
【０１２０】
図９Ａの例を参照すると、ここでも、１５ｋＨｚ  ＳＣＳを有する第２のヌメロロジについての、非連続タイプデータ送信（例えば、ＰＤＳＣＨ上で実行される）が示されている。より詳細には、この図は、送信装置がデータおよび参照信号を、混合ヌメロロジを用いてマッピングするリソースユニットを示している。参照信号送信（例えば、ＣＳＩ−ＲＳ）は、送信デバイスによって、３０ｋＨｚ  ＳＣＳを有する第１のヌメロロジのサブキャリア＃０およびサブキャリア＃１（図２と一致したナンバリングを仮定するとき、図９Ａにおいては上から下へとカウントする）上で実行される。同時に、送信装置は、第２のヌメロロジの偶数番号のサブキャリア＃４、＃６、＃８〜サブキャリア＃２２上で、すなわち、１つのヌメロロジ間直交サブキャリアと１つの送信パワーが割り当てられない非ヌメロロジ間直交サブキャリアとから成る１０個の非連続的なグループ内で、非連続タイプデータ送信を実行する。
【０１２１】
２つの例の両方において、送信装置および受信装置は、マッピング指示の共通の解釈を有し、すなわち、ヌメロロジ間直交サブキャリアへの参照が、第２のヌメロロジの連続する非ヌメロロジ間直交サブキャリアに送信パワーを割り当てないことを規定していると解釈されるという点において、解釈が一致している。
【０１２２】
有利なことには、第２のヌメロロジにおける非連続タイプ送信によって、たとえ２つのヌメロロジがリソースユニット内で多重化されたとしても、第２のヌメロロジを使用した送信は、ヌメロロジ間直交サブキャリアに制約されるため、ヌメロロジ間干渉は存在しない。しかしながら、図９Ｂを図９Ａと比較すると、第１のヌメロロジによって同じ数のＲＥがＣＳＩ−ＲＳに使用されることによって、非連続タイプ送信において第２のヌメロロジによってデータに使用されるＲＥの数は、より少ない。それゆえ、ヌメロロジ間干渉を低減することとリソース利用との間にはトレードオフがある。一定の適用シナリオにおいては、ヌメロロジ間干渉のない構成を有することが重要であり、このときは、非連続タイプ送信が構成され得る。ヌメロロジ間干渉の影響がより少ない他のシナリオにおいては、連続タイプ送信を構成することができる。送信機および受信機が送信タイプの同じ理解を有することを保証するために、マッピング指示は、例えば、フラグなどによって、いずれのタイプが使用されているかを示すことができる。
【０１２３】
図８Ｂおよび図９Ｂの例は、２のスケーリング係数を用いる、例えば、３０ｋＨｚ  ＳＣＳ対１５ｋＨｚ  ＳＣＳを用いる混合ヌメロロジを示す。図１０Ｂは、４のスケーリング係数が使用されている別の例を示す。
【０１２４】
マッピング指示の例示的な実施態様
以下において、マッピング指示の例示的な実施態様を、図８〜図１０を参照して説明する。すべての例示的な実施態様は、受信装置が、参照ユニットにおける混合ヌメロロジデータおよび参照信号送信からの単一のヌメロロジのサブキャリアを受信するようにのみ構成され得るシナリオを考察する。これに関して、送信装置によって送信され、受信装置によって受信されるマッピング指示は、排他定期に、第１のヌメロロジまたは第２のヌメロロジのサブキャリアを参照する。
【０１２５】
例示的な実施態様において、送信装置によって送信され、受信装置によって受信されるマッピング指示は、（例えば、マッピング指示に対する上述した制約に従う）混合ヌメロロジ参照ユニットにおいて参照され得る第１のヌメロロジまたは第２のヌメロロジのいずれかのサブキャリアの各々を参照するバイナリ情報（ビットマップとしても参照される）を含む。言い換えれば、より大きいサブキャリア間隔を有する第１のヌメロロジについて、マッピング指示は、この例示的な実施態様において、混合ヌメロロジ参照ユニットにおけるすべてのサブキャリアのバイナリ情報を含む。より小さいサブキャリア間隔を有する第２のヌメロロジについて、マッピング指示は、この例示的な実施態様において、参照することができるヌメロロジ間直交サブキャリアのみのバイナリ情報を含む。
【０１２６】
この例示的な実施形態は、例えば、図９Ａおよび図９Ｂに示されており、１５ｋＨｚ  ＳＣＳを有する第２のヌメロロジを使用したデータ送信（例えば、ＰＤＳＣＨ上で実行される）のバイナリ情報は、図８Ａのサブキャリアの上から下への参照を仮定して０００１  １１１１  １１１０であり、または、図８Ｂのサブキャリアの上から下への参照を仮定して００１１  １１１１  １１１１である。
【０１２７】
図８Ａおよび図８Ｂから容易に理解され得るように、マッピング指示のこの例示的な実施態様は、より小さいサブキャリア間隔を有する第２のヌメロロジのサブキャリア上での連続タイプ送信と非連続タイプ送信との間で変化がない。両方のケースにおいて、マッピング指示は、各々が第２のヌメロロジの特定のヌメロロジ間直交サブキャリアを参照する１２ビットを含む。
【０１２８】
別の例示的な実施態様において、送信装置によって送信され、受信装置によって受信されるマッピング指示は、（例えば、マッピング指示に対する上述した制約に従う）混合ヌメロロジ参照ユニットにおいて参照され得る第１のヌメロロジまたは第２のヌメロロジのいずれかの開始サブキャリアへの参照を含み、参照され得る同じヌメロロジのサブキャリアからの連続するサブキャリアの数をさらに含む。
【０１２９】
例えば、この他の例示的な実施態様において、マッピング指示は、図９Ａに示すような１５ｋＨｚ  ＳＣＳを有する第２のヌメロロジを使用したデータ送信（例えば、ＰＤＳＣＨ上で実行される）を参照するために、１０進数３＝２進数００１１に対応する第４のヌメロロジ間直交キャリアである開始サブキャリアへの参照、および、１０進数７＝２進数０１１１に対応する連続するヌメロロジ間直交キャリアの数を含むことができ、結果、マッピング指示は００１１  ０１１１になる。
【０１３０】
図９Ｂに示すような（同じく）１５ｋＨｚ  ＳＣＳを有する第２のヌメロロジを使用したデータ送信（例えば、ＰＤＳＣＨ上で実行される）を参照するために、１０進数２＝２進数００１０に対応する第３のヌメロロジ間直交キャリアである開始サブキャリアへの参照、および、１０進数９＝２進数１００１に対応する連続するヌメロロジ間直交サブキャリアの数を含むことができ、結果、マッピング指示は００１０  １００１になる。
【０１３１】
またここで、有利には、マッピング指示は、より小さいサブキャリア間隔を有する第２のヌメロロジのサブキャリア上での連続タイプ送信と非連続タイプ送信との間で変化がないことが理解され得る。両方のケースにおいて、マッピング指標は、８ビット（開始位置の４ビットおよび長さの４ビット）を含む。このビット長は、よりスマートな符号化方法によってさらに低減することができる。１つのリソースユニットが１２個のヌメロロジ間直交サブキャリアを有する図９Ａおよび図９Ｂに示す例を考察する。開始位置および長さの組み合わせの総数は、１２＋１１＋…＋１＝７８である。それゆえ、ｌｏｇ２（７８）＝７ビットのみが必要とされる。
【０１３２】
さらなる例示的な実施態様は、混合ヌメロロジ参照ユニットにおいて第２のヌメロロジのサブキャリアを排他的に参照する非連続タイプ送信のマッピング指示のみに適用される。ここで、マッピング指示は、第２のヌメロロジのヌメロロジ間直交サブキャリアの各々の１つのバイナリ情報を含む。このバイナリ情報は、前述したものに対応する。加えて、マッピング指示は、第２のヌメロロジの非ヌメロロジ間直交サブキャリアの各グループの１つのバイナリ情報を含む。１つのそのような例が、図１０Ｃに与えられる。この実施態様は、第１のヌメロロジと第２のヌメロロジとの間のサブキャリア間隔に大きな差がある場合に特に有利であり、同時に、参照ユニットにおける連続するサブキャリアを参照する柔軟性が維持される。
【０１３３】
またさらなる例示的な実施態様において、送信装置によって送信され、受信装置によって受信されるマッピング指示は、加えて、時間領域において、第１のヌメロロジまたは第２のヌメロロジのいずれかのそれぞれのサブキャリアに含まれるシンボルの数の指示を含む。この実施態様は、上述した例示的な実施態様のいずれか１つに適用可能であり、リソースユニットが時間領域において少なくとも１つのシンボルを含む持続時間を有するというように、理解を拡大する。送信装置がデータおよび／または参照信号を少なくとも１つのシンボルにマッピングするとき、マッピング指示は、この例示的な指示において、各シンボルの、リソースユニットに含まれる対応するサブキャリアへの参照を含む。
【０１３４】
本開示は、ソフトウェア、ハードウェア、またはハードウェアと協働するソフトウェアによって実現することができる。上述した各実施形態の記述において使用されている各機能ブロックは、部分的にまたは全体的に、ＬＳＩによって集積回路として実現することができ、各実施形態において記述されている各プロセスは、部分的にまたは全体的に、同じＬＳＩまたは複数のＬＳＩの組み合わせによって制御することができる。ＬＳＩは、チップとして個々に形成されてもよく、または、１つのチップが、それら機能ブロックの一部分またはすべてを含むように形成されてもよい。ＬＳＩは、それらに結合されているデータ入力および出力を含むことができる。本明細書において、ＬＳＩは、集積度の差に応じて、ＩＣ、システムＬＳＩ、スーバーＬＳＩ、またはウルトラＬＳＩとして参照されてもよい。しかしながら、集積回路を実装する技法は、ＬＳＩに限定されず、専用回路、汎用プロセッサ、または専用プロセッサを使用することによって実現されてもよい。加えて、ＬＳＩの製造後にプログラムすることができるＦＰＧＡ（フィールドプログラマブルゲートアレイ）、または、ＬＳＩの内部に配置される回路セルの接続および設定を再構成することができる再構成可能プロセッサが使用されてもよい。本開示は、デジタル処理またはアナログ処理として実現することができる。半導体技術または派生する他の技術の進歩の結果として、将来の集積回路技術がＬＳＩに取って代わった場合、機能ブロックは、その将来の集積回路技術を使用して集積することができる。生命工学を適用することもできる。
【０１３５】
第１の態様によれば、動作時に、データおよび／または参照信号を、通信システムのリソースユニットにマッピングする回路を備える送信装置が提案される。リソースユニットは、第１のヌメロロジのサブキャリアおよび第２のヌメロロジのサブキャリアを含み、サブキャリアの各々は、同じヌメロロジの他のサブキャリアに直交し、第１のヌメロロジは、少なくとも、より大きいサブキャリア間隔だけ、第２のヌメロロジと異なり、第１のヌメロロジのサブキャリアおよび第２のヌメロロジのサブキャリアは、サブキャリアごとに周波数多重化される。送信装置は、動作時、第１のヌメロロジのサブキャリアおよび／または第２のヌメロロジのサブキャリアを含む、リソースユニット内のマッピングされているデータおよび／または参照信号を送信する送信機をさらに備える。また、送信機は、動作時に、第１のヌメロロジのサブキャリアおよび／または第２のヌメロロジのサブキャリアからのサブキャリアへの参照を含む、リソースユニットのマッピングの指示をも送信し、第１のヌメロロジについては、リソースユニットのすべてのサブキャリアを参照することができ、第２のヌメロロジについては、そのヌメロロジ間直交サブキャリアのみを参照することができ、ヌメロロジ間直交サブキャリアの各々は、第１のヌメロロジのサブキャリアと中央で位置整合される。
【０１３６】
第１の態様と組み合わせることができる第２の態様によれば、送信装置の回路は、動作時、第１のヌメロロジおよび第２のヌメロロジのうちの一方のサブキャリアにデータをマッピングし、第１のヌメロロジおよび第２のヌメロロジのうちのそれぞれの他方のヌメロロジのサブキャリアに参照信号をマッピングする。
【０１３７】
第１の態様または第２の態様と組み合わせることができる第３の態様によれば、第２のヌメロロジのサブキャリアは、ヌメロロジ間直交サブキャリアに加えて、第１のヌメロロジのいずれのサブキャリアとも中央で位置整合されず、第１のヌメロロジの２つの隣接するサブキャリアの間に位置する非ヌメロロジ間直交サブキャリアを含む。
【０１３８】
第３の態様と組み合わせることができる第４の態様によれば、送信装置の送信機は、動作時、第２のヌメロロジのヌメロロジ間直交サブキャリアおよび非ヌメロロジ間直交サブキャリア上でデータおよび／または参照信号を送信する。
【０１３９】
第３の態様または第４の態様と組み合わせることができる第５の態様によれば、送信装置の回路は、動作時、第２のヌメロロジのヌメロロジ間直交サブキャリア、および、上記ヌメロロジ間直交サブキャリアに連続する、第２のヌメロロジの少なくとも１つの非ヌメロロジ間直交サブキャリアに、データおよび／または参照信号をマッピングする。
【０１４０】
第５の態様と組み合わせることができる第６の態様によれば、送信装置の回路は、動作時、両方にデータおよび／または参照信号がマッピングされる、第１のヌメロロジのサブキャリアと第２のヌメロロジのサブキャリアとの間に位置するリソースユニットの少なくとも１つのサブキャリアに送信パワーを割り当てない。
【０１４１】
第６の態様と組み合わせることができる第７の態様によれば、送信パワーが割り当てられないリソースユニットの少なくとも１つのサブキャリアは、第２のヌメロロジのヌメロロジ間直交サブキャリアおよび少なくとも１つの非ヌメロロジ間直交サブキャリアを含む。
【０１４２】
第３の態様と組み合わせることができる第８の態様によれば、送信装置の送信機は、動作時、第２のヌメロロジのヌメロロジ間直交サブキャリア上でデータおよび／または参照信号を送信し、送信装置の回路は、動作時、第２のヌメロロジの２つのヌメロロジ間直交サブキャリアの間に位置するいかなる非ヌメロロジ間直交サブキャリアにも送信パワーを割り当てない。
【０１４３】
第１の態様〜第８の態様と組み合わせることができる第９の態様によれば、送信装置の送信機は、動作時、参照され得る第１のヌメロロジまたは第２のヌメロロジのサブキャリアの各々を参照するバイナリ情報を含む、リソースユニットのマッピングの指示を送信する。
【０１４４】
第１の態様〜第８の態様と組み合わせることができる第１０の態様によれば、送信装置の送信機は、動作時、第１のヌメロロジまたは第２のヌメロロジの開始サブキャリアへの参照、および、参照され得る同じヌメロロジのサブキャリアからの連続するサブキャリアを参照する数を含む、リソースユニットのマッピングの指示を送信する。
【０１４５】
第３の態様〜第８の態様と組み合わせることができる第１１の態様によれば、送信装置の送信機が、動作時、第２のヌメロロジのサブキャリアを排他的に参照しているリソースユニットのマッピングの指示を送信する場合、リソースユニットのマッピングの指示は、第２のヌメロロジのヌメロロジ間直交サブキャリアの各々を参照するバイナリ情報を含み、任意選択的に、回路が、第２のヌメロロジの少なくとも１つの連続する非ヌメロロジ間直交サブキャリアにもデータおよび／または参照信号をマッピングしているか否かを示す補完情報をさらに含む。
【０１４６】
第１の態様〜第１１の態様と組み合わせることができる第１２の態様によれば、送信装置の送信機は、動作時、第１のヌメロロジまたは第２のヌメロロジのサブキャリアを排他的に参照している、リソースユニットのマッピングの指示を送信する。
【０１４７】
第１の態様〜第１２の態様と組み合わせることができる第１３の態様によれば、リソースユニットは、時間領域において少なくとも１つのシンボルを含む持続時間を有し、送信装置の回路は、動作時、リソースユニットに含まれる少なくとも１つのシンボルにデータおよび／または参照信号をマッピングし、送信装置の送信機は、動作時、リソースユニットに含まれるシンボルの各々のマッピングの指示を送信する。
【０１４８】
第１の態様〜第１３の態様と組み合わせることができる第１４の態様によれば、参照信号は、非ゼロパワー参照信号またはゼロパワー参照信号のうちの一方である。
【０１４９】
第１の態様〜第１４の態様と組み合わせることができる第１５の態様によれば、リソースユニットにおいて、第１のヌメロロジのサブキャリアは物理リソースブロックに対応する。
【０１５０】
第１６の態様によれば、受信装置が提案される。受信装置は、動作時に、通信システムのリソースユニット内のデータおよび／または参照信号を受信する受信機を備える。リソースユニットは、第１のヌメロロジのサブキャリアおよび第２のヌメロロジのサブキャリアを含み、サブキャリアの各々は、同じヌメロロジの他のサブキャリアに直交し、第１のヌメロロジは、少なくとも、より大きいサブキャリア間隔だけ、第２のヌメロロジと異なり、第１のヌメロロジのサブキャリアおよび第２のヌメロロジのサブキャリアは、サブキャリアごとに周波数多重化される。受信装置は、動作時、第１のヌメロロジのサブキャリアおよび／または第２のヌメロロジのサブキャリアを含むリソースユニットからデータおよび／または参照信号をデマッピングする回路をさらに備える。受信機は、動作時にまた、第１のヌメロロジのサブキャリアおよび／または第２のヌメロロジのサブキャリアからのサブキャリアへの参照を含む、リソースユニットのマッピングの指示をも受信し、第１のヌメロロジについては、リソースユニットのすべてのサブキャリアを参照することができ、第２のヌメロロジについては、そのヌメロロジ間直交サブキャリアのみを参照することができ、ヌメロロジ間直交サブキャリアの各々は、第１のヌメロロジのサブキャリアと中央で位置整合される。
【０１５１】
第１６の態様と組み合わせることができる第１７の態様によれば、受信装置の回路は、動作時、第１のヌメロロジおよび第２のヌメロロジのうちの一方のサブキャリアからデータをデマッピングし、第１のヌメロロジおよび第２のヌメロロジのうちのそれぞれの他方のヌメロロジのサブキャリアから参照信号をデマッピングする。
【０１５２】
第１６の態様または第１７の態様と組み合わせることができる第１８の態様によれば、第２のヌメロロジのサブキャリアは、ヌメロロジ間直交サブキャリアに加えて、第１のヌメロロジのいずれのサブキャリアとも中央で位置整合されず、第１のヌメロロジの２つの隣接するサブキャリアの間に位置する非ヌメロロジ間直交サブキャリアを含む。
【０１５３】
第１８の態様と組み合わせることができる第１９の態様によれば、受信装置の受信機は、動作時、第２のヌメロロジのヌメロロジ間直交サブキャリアおよび非ヌメロロジ間直交サブキャリア上でデータおよび／または参照信号を受信する。
【０１５４】
第１８の態様と組み合わせることができる第２０の態様によれば、受信装置の回路は、動作時、第２のヌメロロジのヌメロロジ間直交サブキャリア、および、上記ヌメロロジ間直交サブキャリアに連続する、第２のヌメロロジの少なくとも１つの非ヌメロロジ間直交サブキャリアから、データおよび／または参照信号をデマッピングする。
【０１５５】
第１８の態様〜第２０の態様と組み合わせることができる第２１の態様によれば、両方にデータおよび／または参照信号がマッピングされる、第１のヌメロロジのサブキャリアと第２のヌメロロジのサブキャリアとの間に位置するリソースユニットの少なくとも１つのサブキャリアには、送信パワーが割り当てられない。
【０１５６】
第２１の態様と組み合わせることができる第２２の態様によれば、送信パワーが割り当てられないリソースユニットの少なくとも１つのサブキャリアは、第２のヌメロロジのヌメロロジ間直交サブキャリアおよび少なくとも１つの非ヌメロロジ間直交サブキャリアを含む。
【０１５７】
第１８の態様と組み合わせることができる第２３の態様によれば、受信装置の受信機は、動作時、第２のヌメロロジのヌメロロジ間直交サブキャリア上でデータおよび／または参照信号を受信し、第２のヌメロロジの２つのヌメロロジ間直交サブキャリアの間に位置するいかなる非ヌメロロジ間直交サブキャリアにも、送信パワーは割り当てられない。
【０１５８】
受信装置の第１６の態様〜第２３の態様と組み合わせることができる第２４の態様によれば、受信機は、動作時、参照され得る第１のヌメロロジまたは第２のヌメロロジのサブキャリアの各々を参照するバイナリ情報を含む、リソースユニットのマッピングの指示を受信する。
【０１５９】
第１６の態様〜第２３の態様と組み合わせることができる第２５の態様によれば、受信装置の受信機は、動作時、第１のヌメロロジまたは第２のヌメロロジの開始サブキャリアへの参照、および、参照され得る同じヌメロロジのサブキャリアからの連続するサブキャリアを参照する数を含む、リソースユニットのマッピングの指示を受信する。
【０１６０】
第１８の態様〜第２３の態様と組み合わせることができる第２６の態様によれば、受信装置の受信機が、動作時、第２のヌメロロジのサブキャリアを排他的に参照しているリソースユニットのマッピングの指示を受信する場合、リソースユニットのマッピングの指示は、第２のヌメロロジのヌメロロジ間直交サブキャリアの各々を参照するバイナリ情報を含み、任意選択的に、回路が、第２のヌメロロジの少なくとも１つの連続する非ヌメロロジ間直交サブキャリアにもデータおよび／または参照信号をマッピングしているか否かを示す補完情報をさらに含む。
【０１６１】
受信装置の第１６の態様〜第２６の態様と組み合わせることができる第２７の態様によれば、受信機は、動作時、第１のヌメロロジまたは第２のヌメロロジのサブキャリアを排他的に参照している、リソースユニットのマッピングの指示を受信する。
【０１６２】
受信装置の第１６の態様〜第２７の態様と組み合わせることができる第２８の態様によれば、リソースユニットは、時間領域において少なくとも１つのシンボルを含む持続時間を有し、回路は、動作時、リソースユニットに含まれる少なくとも１つのシンボルからデータおよび／または参照信号をデマッピングし、受信機は、動作時、リソースユニットに含まれるシンボルの各々のマッピングの指示を受信する。
【０１６３】
第１６の態様〜第２８の態様と組み合わせることができる第２９の態様によれば、参照信号は、非ゼロパワー参照信号またはゼロパワー参照信号のうちの一方である。
【０１６４】
第１６の態様〜第２９の態様と組み合わせることができる第３０の態様によれば、リソースユニットにおいて、第１のヌメロロジのサブキャリアは物理リソースブロックに対応する。
【０１６５】
第３１の態様によれば、送信装置によって実施される送信方法であって、データおよび／または参照信号を通信システムのリソースユニットにマッピングするステップであって、リソースユニットは、第１のヌメロロジのサブキャリアおよび第２のヌメロロジのサブキャリアを含み、サブキャリアの各々は、同じヌメロロジの他のサブキャリアと直交し、第１のヌメロロジは、少なくとも、より大きいサブキャリア間隔だけ、第２のヌメロロジと異なり、第１のヌメロロジのサブキャリアおよび第２のヌメロロジのサブキャリアは、サブキャリアごとに周波数多重化される、マッピングするステップと、第１のヌメロロジのサブキャリアおよび／または第２のヌメロロジのサブキャリアを含む、リソースユニット内のマッピングされているデータおよび／または参照信号を送信するステップと、第１のヌメロロジのサブキャリアおよび／または第２のヌメロロジのサブキャリアからのサブキャリアに対する参照を含む、リソースユニットのマッピングの指示を送信するステップであって、第１のヌメロロジについては、リソースユニットのすべてのサブキャリアを参照することができ、第２のヌメロロジについては、そのヌメロロジ間直交サブキャリアのみを参照することができ、ヌメロロジ間直交サブキャリアの各々は、第１のヌメロロジのサブキャリアと中央で位置整合される、マッピングの指示を送信するステップとを含む、送信方法が提案される。
【０１６６】
第３６の態様によれば、受信装置において実施される受信方法であって、通信システムのリソースユニット内のデータおよび／または参照信号を受信するステップであって、リソースユニットは、第１のヌメロロジのサブキャリアおよび第２のヌメロロジのサブキャリアを含み、サブキャリアの各々は、同じヌメロロジの他のサブキャリアに直交し、第１のヌメロロジは、少なくとも、より大きいサブキャリア間隔だけ、第２のヌメロロジと異なり、第１のヌメロロジのサブキャリアおよび第２のヌメロロジのサブキャリアは、サブキャリアごとに周波数多重化される、データおよび／または参照信号を受信するステップと、第１のヌメロロジのサブキャリアおよび／または第２のヌメロロジのサブキャリアからのサブキャリアへの参照を含む、リソースユニットのマッピングの指示を受信するステップであって、第１のヌメロロジについては、リソースユニットのすべてのサブキャリアを参照することができ、第２のヌメロロジについては、そのヌメロロジ間直交サブキャリアのみを参照することができ、ヌメロロジ間直交サブキャリアの各々は、第１のヌメロロジのサブキャリアと中央で位置整合される、リソースユニットのマッピングの指示を受信するステップと、第１のヌメロロジのサブキャリアおよび／または第２のヌメロロジのサブキャリアを含むリソースユニットからデータおよび／または参照信号をデマッピングするステップとを含む、受信方法が提案される。
【図１】
2020523861.tif 000002
【図２】
2020523861.tif 000003
【図３Ａ】
2020523861.tif 000004
【図３Ｂ】
2020523861.tif 000005
【図４】
2020523861.tif 000006
【図５】
2020523861.tif 000007
【図６】
2020523861.tif 000008
【図７Ａ】
2020523861.tif 000009
【図７Ｂ】
2020523861.tif 000010
【図８Ａ】
2020523861.tif 000011
【図８Ｂ】
2020523861.tif 000012
【図９Ａ】
2020523861.tif 000013
【図９Ｂ】
2020523861.tif 000014
【図１０Ａ】
2020523861.tif 000015
【図１０Ｂ】
2020523861.tif 000016
【図１０Ｃ】
2020523861.tif 000017
【国際調査報告】
2020523861.tif 000018
2020523861.tif 000019